(57)【要約】【課題】間接気化冷却機能を備えると共に、２４時間換気機能を備えて、住宅への設置が可能な換気装置を提供することを目的とする。【解決手段】換気装置１Ａは、外気吸込口５から給気ファン２、間接気化冷却ユニット４のプロダクトエア流路１１ｂを通り、給気吹出口６へ連通した給気流路９Ａと、還気吸込口７から間接気化冷却ユニット４のワーキングエア流路１１ａ、排気ファン３を通り、排気吹出口８へ連通した排気流路１０Ａを備える。給気流路９Ａに給気流量調整ダンパ１４を備え、排気流路１０Ａに排気流量調整ダンパ１５を備えて、ワーキングエアもしくはプロダクトエアの少なくとも一方の流量を調整し、給気吹出口６からの給気温度を制御する。また、所定時間で建物内の空気の入れ替えができるように、還気吸込口７からの還気流量と給気吹出口６からの給気流量を調整する。【選択図】        図１
2006105425.tif 000002
【特許請求の範囲】
【請求項１】
外気吸込口から給気吹出口へのエアの流れを生成する給気ファンと、
還気吸込口から排気吹出口へのエアの流れを生成する排気ファンと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記外気吸込口から前記間接気化冷却ユニットの前記プロダクトエア流路を通り、前記給気吹出口へ連通した給気流路と、
前記還気吸込口から前記間接気化冷却ユニットの前記ワーキングエア流路を通り、前記排気吹出口へ連通した排気流路とを備え、
所定時間で建物内の空気の入れ替えができるように、前記還気吸込口からの還気流量と前記給気吹出口からの給気流量を調整する
ことを特徴とする換気装置。
【請求項２】
前記間接気化冷却ユニットの上流で前記排気流路と分岐し、前記排気吹出口へ連通したバイパス排気流路を備えた
ことを特徴とする請求項１記載の換気装置。
【請求項３】
外気吸込口から給気吹出口へのエアの流れを生成する給気ファンと、
還気吸込口から排気吹出口へのエアの流れを生成する排気ファンと、
隔壁で仕切られた第１の流路と第２の流路に供給されたエアの間で熱交換が行われる熱交換ユニットと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記外気吸込口から前記熱交換ユニットの前記第１の流路および前記間接気化冷却ユニットの前記プロダクトエア流路を通り、前記給気吹出口へ連通した給気流路と、
前記還気吸込口から前記熱交換ユニットの前記第２の流路を通り、前記排気吹出口へ連通した第１の排気流路と、
前記熱交換ユニットの下流側で前記給気流路から分岐するか、または、前記熱交換ユニットの上流側で前記第１の排気流路から分岐して、前記間接気化冷却ユニットの前記ワーキングエア流路を通り、前記排気吹出口へ連通した第２の排気流路とを備え、
所定時間で建物内の空気の入れ替えができるように、前記還気吸込口からの還気流量と前記給気吹出口からの給気流量を調整する
ことを特徴とする換気装置。
【請求項４】
外気吸込口から給気吹出口へのエアの流れを生成する給気ファンと、
還気吸込口から排気吹出口へのエアの流れを生成する排気ファンと、
隔壁で仕切られた除湿流路および再生流路に跨って回転駆動される除湿ロータを有する除湿ユニットと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記外気吸込口から前記除湿ユニットの前記除湿流路及び前記間接気化冷却ユニットの前記プロダクトエア流路を通り、前記給気吹出口へ連通した給気流路と、
前記還気吸込口から前記除湿ユニットの前記再生流路を通り、前記排気吹出口へ連通した第１の排気流路と、
前記除湿ユニットの下流側で前記給気流路から分岐するか、または、前記除湿ユニットの上流側で前記第１の排気流路から分岐して、前記間接気化冷却ユニットの前記ワーキングエア流路を通り、前記排気吹出口へ連通した第２の排気流路とを備え、
所定時間で建物内の空気の入れ替えができるように、前記還気吸込口からの還気流量と前記給気吹出口からの給気流量を調整する
ことを特徴とする換気装置。
【請求項５】
前記第２の排気流路を、前記給気流路と独立して前記除湿ユニットの前記除湿流路を通り前記間接気化冷却ユニットの前記ワーキングエア流路と連通させた
ことを特徴とする請求項４記載の換気装置。
【請求項６】
前記間接気化冷却ユニットの上流で前記給気流路から分岐し、前記除湿ユニットの前記再生流路を通って前記排気吹出口と連通した第３の排気流路を備えた
ことを特徴とする請求項４記載の換気装置。
【請求項７】
外気吸込口から給気吹出口へのエアの流れを生成する給気ファンと、
還気吸込口から排気吹出口へのエアの流れを生成する排気ファンと、
隔壁で仕切られた除湿流路および再生流路に跨って回転駆動される除湿ロータを有する除湿ユニットと、
隔壁で仕切られた第１の流路と第２の流路に供給されたエアの間で熱交換が行われる熱交換ユニットと、
ワーキングエアが供給されるワーキングエア流路とプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記外気吸込口から前記除湿ユニットの前記除湿流路、前記熱交換ユニットの前記第１の流路および前記間接気化冷却ユニットの前記プロダクトエア流路を通り、前記給気吹出口へ連通した給気流路と、
前記還気吸込口から前記熱交換ユニットの前記第２の流路及び前記除湿ユニットの前記再生流路を通り、前記排気吹出口へ連通した第１の排気流路と、
前記熱交換ユニットの下流側で前記給気流路から分岐するか、または、前記熱交換ユニットの上流側で前記第１の排気流路から分岐して、前記間接気化冷却ユニットの前記ワーキングエア流路を通り、前記排気吹出口へ連通した第２の排気流路とを備え、
所定時間で建物内の空気の入れ替えができるように、前記還気吸込口からの還気流量と前記給気吹出口からの給気流量を調整する
ことを特徴とする換気装置。
【請求項８】
前記熱交換ユニットは、前記第１の流路と前記第２の流路に供給されたエアの間で顕熱、または顕熱と潜熱の交換が行われる熱交換エレメントを備えた
ことを特徴とする請求項３または７記載の換気装置。
【請求項９】
前記還気吸込口を前記給気流路と連通させた
ことを特徴とする請求項１〜８に何れか記載の換気装置。
【請求項１０】
前記間接気化冷却ユニットの前記ワーキングエア流路に供給されるワーキングエアもしくは前記プロダクトエア流路に供給されるプロダクトエアの少なくとも一方の流量を調整する流量制御手段を備え、前記給気吹出口からの給気温度を制御する
ことを特徴とする請求項１〜９に何れか記載の換気装置。
【請求項１１】
前記除湿ユニットの除湿量を制御する除湿制御手段を備えた
ことを特徴とする請求項４，５，６または７記載の換気装置。
【請求項１２】
外気吸込口から少なくとも１つの給気吹出口へ連通した給気流路と、
少なくとも１つの還気吸込口から排気吹出口へ連通した排気流路と、
前記排気流路もしくは前記給気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットと、
前記給気流路に配置され、前記外気吸込口から前記給気吹出口へのエアの流れを生成する給気ファンと、
前記排気流路に配置され、前記還気吸込口から前記排気吹出口へのエアの流れを生成する排気ファンとを備え、
所定時間で建物内の空気の入れ替えができるように、前記還気吸込口からの還気流量と前記給気吹出口からの給気流量が調整される
ことを特徴とする換気システム。
【請求項１３】
外気を吸い込む給気ファン及び室内からの還気を吸い込む排気ファンを有すると共に、外気と還気の間で熱交換を行う熱交換ユニットを有して、熱交換された外気を給気口から給気する第１の換気装置と、
外気吸込口から給気吹出口へ連通した給気流路と、
還気吸込口から排気吹出口へ連通し、排気ファンにより排気を行う排気流路と、
前記排気流路と連通してワーキングエアが供給されるワーキングエア流路及び前記給気流路と連通してプロダクトエアが供給されるプロダクトエア流路を有し、水の気化熱でワーキングエアが冷却され、隔壁で仕切られた前記ワーキングエア流路と前記プロダクトエア流路の間でワーキングエアとプロダクトエアとの顕熱交換が行われる間接気化冷却ユニットを有する第２の換気装置とを備え、
前記第１の換気装置の前記給気口と前記第２の換気装置の前記外気吸込口を連通させると共に、
所定時間で建物内の空気の入れ替えができるように、前記第１の換気装置の還気流量と前記第２の換気装置の還気流量が調整される
ことを特徴とする換気システム。
【請求項１４】
前記第２の換気装置は、還気流量を調整することで、前記間接気化冷却ユニットの前記ワーキングエア流路に供給されるワーキングエアの流量を調整する流量制御手段を備え、前記給気吹出口からの給気温度を制御する
ことを特徴とする請求項１３記載の換気システム。
【請求項１５】
請求項１〜１１に何れか記載の換気装置または請求項１２〜１４に何れか記載の換気システムを備えた
ことを特徴とする建物。
【発明の詳細な説明】
【技術分野】
【０００１】
本発明は、住宅に設置され、室内と屋外で換気を行う換気装置、換気システム及びこのような換気装置または換気システムを備えた建物に関し、特に、水の気化熱を利用してエアを冷却する間接気化冷却機能及び２４時間換気機能を備えた換気装置及び換気システムに関する。
【背景技術】
【０００２】
従来より、建物を冷房する空調装置が提案されているが、水の気化熱を利用してエアを冷却する間接気化冷却装置を備えた空調装置が提案されている（例えば、特許文献１参照）。間接気化冷却装置は、隔壁で仕切られた流路間で顕熱（温度）交換を行う構成で、一方の流路で水の気化熱を利用してエアを冷却すると共に、他方の流路との間で冷熱の授受を行い、他方の流路を通るエアを冷却して、室内等に供給するものである。
【０００３】
また、建築基準法により、住宅の空気を所定時間で入れ替えることができる換気設備の設置が必要となり、これに対応して、２４時間換気装置等と称される換気装置が提案されている（例えば、特許文献２参照）。
【０００４】
【特許文献１】特開２００４−１９０９０７号公報
【特許文献２】特開平１０−２８１５２３号公報
【発明の開示】
【発明が解決しようとする課題】
【０００５】
従来の間接気化冷却装置を備えた空調装置は、オフィスや店舗等に設置されており、住宅への設置は考慮されていない。間接気化冷却装置を備えた空調装置を住宅に設置する場合、温度制御が重要となるが、従来装置では、住宅での使用に要求される温度制御はできないという問題がある。
【０００６】
また、一般的な空調装置を含めて、室内と屋外で換気を行う機能を備えた装置は少ない。このため、換気を行いながら冷房を行うためには、換気装置と空調装置の双方を備える必要があるが、設置のスペースを確保するのが難しく、また、コストも高いという問題がある。
【０００７】
本発明は、このような課題を解決するためになされたもので、住宅への設置が可能な間接気化冷却機能を備えた換気装置、換気システム及びこのような換気装置又は換気システムを備えた建物を提供することを目的とする。
【課題を解決するための手段】
【０００８】
上述した課題を解決するため、請求項１の発明は、外気吸込口から給気吹出口へのエアの流れを生成する給気ファンと、還気吸込口から排気吹出口へのエアの流れを生成する排気ファンと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、外気吸込口から間接気化冷却ユニットのプロダクトエア流路を通り、給気吹出口へ連通した給気流路と、還気吸込口から間接気化冷却ユニットのワーキングエア流路を通り、排気吹出口へ連通した排気流路とを備え、所定時間で建物内の空気の入れ替えができるように、還気吸込口からの還気流量と給気吹出口からの給気流量を調整することを特徴とする。
【０００９】
請求項１の発明では、間接気化冷却ユニットにおいて外気をプロダクトエアとし、室内からの還気をワーキングエアとしてプロダクトエアの冷却が行われる。空気調和された室内温度は低いので、ワーキングエアとして冷却された還気を利用することで、間接気化冷却ユニットにおける入力温度が低くなり、冷却能力が向上する。
【００１０】
また、還気吸込口からの還気流量と給気吹出口からの給気流量を調整することで、所定時間で換気対象となっている建物内の空気の入れ替えが行われる。
【００１１】
請求項３の発明は、外気吸込口から給気吹出口へのエアの流れを生成する給気ファンと、還気吸込口から排気吹出口へのエアの流れを生成する排気ファンと、隔壁で仕切られた第１の流路と第２の流路に供給されたエアの間で熱交換が行われる熱交換ユニットと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、外気吸込口から熱交換ユニットの第１の流路および間接気化冷却ユニットのプロダクトエア流路を通り、給気吹出口へ連通した給気流路と、還気吸込口から熱交換ユニットの第２の流路を通り、排気吹出口へ連通した第１の排気流路と、熱交換ユニットの下流側で給気流路から分岐するか、または、熱交換ユニットの上流側で第１の排気流路から分岐して、間接気化冷却ユニットのワーキングエア流路を通り、排気吹出口へ連通した第２の排気流路とを備え、所定時間で建物内の空気の入れ替えができるように、還気吸込口からの還気流量と給気吹出口からの給気流量を調整することを特徴とする。
【００１２】
請求項３の発明では、間接気化冷却ユニットにおいて外気をプロダクトエアとし、室内からの還気をワーキングエアとしてプロダクトエアの冷却が行われる。外気は熱交換ユニットで冷却され、空気調和された室内からの還気も温度が低いので、間接気化冷却ユニットにおける入力温度が低くなり、冷却能力が向上する。
【００１３】
また、還気吸込口からの還気流量と給気吹出口からの給気流量を調整することで、所定時間で換気対象となっている建物内の空気の入れ替えが行われる。
【００１４】
請求項４の発明は、外気吸込口から給気吹出口へのエアの流れを生成する給気ファンと、還気吸込口から排気吹出口へのエアの流れを生成する排気ファンと、隔壁で仕切られた除湿流路および再生流路に跨って回転駆動される除湿ロータを有する除湿ユニットと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、外気吸込口から除湿ユニットの除湿流路及び間接気化冷却ユニットのプロダクトエア流路を通り、給気吹出口へ連通した給気流路と、還気吸込口から除湿ユニットの再生流路を通り、排気吹出口へ連通した第１の排気流路と、除湿ユニットの下流側で給気流路から分岐するか、または、除湿ユニットの上流側で第１の排気流路から分岐して、間接気化冷却ユニットのワーキングエア流路を通り、排気吹出口へ連通した第２の排気流路とを備え、所定時間で建物内の空気の入れ替えができるように、還気吸込口からの還気流量と給気吹出口からの給気流量を調整することを特徴とする。
【００１５】
請求項４の発明では、間接気化冷却ユニットにおいて外気をプロダクトエアとし、室内からの還気をワーキングエアとしてプロダクトエアの冷却が行われる。外気は除湿ユニットで除湿され、空気調和された室内からの還気は温度が低いので、間接気化冷却ユニットにおける入力温度及び入力湿度が低くなり、冷却能力が向上する。
【００１６】
また、還気吸込口からの還気流量と給気吹出口からの給気流量を調整することで、所定時間で換気対象となっている建物内の空気の入れ替えが行われる。
【００１７】
請求項７の発明は、外気吸込口から給気吹出口へのエアの流れを生成する給気ファンと、還気吸込口から排気吹出口へのエアの流れを生成する排気ファンと、隔壁で仕切られた除湿流路および再生流路に跨って回転駆動される除湿ロータを有する除湿ユニットと、隔壁で仕切られた第１の流路と第２の流路に供給されたエアの間で熱交換が行われる熱交換ユニットと、ワーキングエアが供給されるワーキングエア流路とプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、外気吸込口から除湿ユニットの除湿流路、熱交換ユニットの第１の流路および間接気化冷却ユニットのプロダクトエア流路を通り、給気吹出口へ連通した給気流路と、還気吸込口から熱交換ユニットの第２の流路及び除湿ユニットの再生流路を通り、排気吹出口へ連通した第１の排気流路と、熱交換ユニットの下流側で給気流路から分岐するか、または、熱交換ユニットの上流側で第１の排気流路から分岐して、間接気化冷却ユニットのワーキングエア流路を通り、排気吹出口へ連通した第２の排気流路とを備え、所定時間で建物内の空気の入れ替えができるように、還気吸込口からの還気流量と給気吹出口からの給気流量を調整することを特徴とする。
【００１８】
請求項７の発明では、間接気化冷却ユニットにおいて外気をプロダクトエアとし、室内からの還気をワーキングエアとしてプロダクトエアの冷却が行われる。外気は除湿ユニットで除湿及び熱交換ユニットで冷却され、空気調和された室内からの還気は温度が低いので、間接気化冷却ユニットにおける入力温度及び入力湿度が低くなり、冷却能力が向上する。
【００１９】
また、還気吸込口からの還気流量と給気吹出口からの給気流量を調整することで、所定時間で換気対象となっている建物内の空気の入れ替えが行われる。
【００２０】
請求項１１の発明は、外気吸込口から少なくとも１つの給気吹出口へ連通した給気流路と、少なくとも１つの還気吸込口から排気吹出口へ連通した排気流路と、排気流路もしくは給気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットと、給気流路に配置され、外気吸込口から給気吹出口へのエアの流れを生成する給気ファンと、排気流路に配置され、還気吸込口から排気吹出口へのエアの流れを生成する排気ファンとを備え、所定時間で建物内の空気の入れ替えができるように、還気吸込口からの還気流量と給気吹出口からの給気流量が調整されることを特徴とする。
【００２１】
請求項１１の発明では、各部屋への給気流路中に間接気化冷却ユニットが配置されることで、各部屋の空気調和が行われる。また、各部屋からの還気をワーキングエアとしてプロダクトエアの冷却が行われる。空気調和された室内温度は低いので、ワーキングエアとして冷却された還気を利用することで、間接気化冷却ユニットにおける入力温度が低くなり、冷却能力が向上する。
【００２２】
また、還気吸込口からの還気流量と給気吹出口からの給気流量を調整することで、所定時間で換気対象となっている建物内の空気の入れ替えが行われる。
【００２３】
請求項１２の発明は、外気を吸い込む給気ファン及び室内からの還気を吸い込む排気ファンを有すると共に、外気と還気の間で熱交換を行う熱交換ユニットを有して、熱交換された外気を給気口から給気する第１の換気装置と、外気吸込口から給気吹出口へ連通した給気流路と、還気吸込口から排気吹出口へ連通し、排気ファンにより排気を行う排気流路と、排気流路と連通してワーキングエアが供給されるワーキングエア流路及び給気流路と連通してプロダクトエアが供給されるプロダクトエア流路を有し、水の気化熱でワーキングエアが冷却され、隔壁で仕切られたワーキングエア流路とプロダクトエア流路の間でワーキングエアとプロダクトエアとの顕熱交換が行われる間接気化冷却ユニットを有する第２の換気装置とを備え、第１の換気装置の給気口と第２の換気装置の外気吸込口を連通させると共に、所定時間で建物内の空気の入れ替えができるように、第１の換気装置の還気流量と第２の換気装置の還気流量が調整されることを特徴とする。
【００２４】
請求項１２の発明では、建物全体の換気を行う第１の換気装置による給気流路中に間接気化冷却ユニットを備えた第２の換気装置が配置されることで、各部屋の空気調和が行われる。また、各部屋からの還気をワーキングエアとしてプロダクトエアの冷却が行われる。空気調和された室内温度は低いので、ワーキングエアとして冷却された還気を利用することで、間接気化冷却ユニットにおける入力温度が低くなり、冷却能力が向上する。
【００２５】
また、間接気化冷却ユニットを備えた第２の換気装置を、建物全体の換気を行う第１の換気装置と連動させることで、所定時間で換気対象となっている建物内の空気の入れ替えを行うために必要な換気量が確保される。
【００２６】
請求項１５に記載の発明は、これら換気装置または換気システムを備えた建物である。
【発明の効果】
【００２７】
本発明の換気装置及び換気システムによれば、室内のエアを吸い込んで排気する機能を備えることで、換気を行いつつ冷房が行えると共に、室内からの還気を利用してプロダクトエアを冷却することで、冷却能力を向上させることができる。
【００２８】
また、還気流量と給気流量を調整することで、所定時間で換気対象となっている建物内の空気の入れ替えを行えるので、建築基準法で求められる換気能力を備えることができる。
【００２９】
従って、住宅への設置に要求される性能を有する間接気化冷却機能と、２４時間換気機能を備えた換気装置を、小型、かつ安価に提供できる。
【００３０】
そして、このような換気装置または換気システムを備えた建物では、外気と建物内の空気の換気を行いながら空調が行われるので、快適な住空間を提供できると共に、水を利用して空調を行うことで、消費電力を抑えることができる。
【発明を実施するための最良の形態】
【００３１】
以下、図面を参照して本発明の換気装置、換気システム及び建物の実施の形態について説明する。
【００３２】
＜第１の実施の形態の換気装置１Ａの構成＞
図１は第１の実施の形態の換気装置１Ａの一例を示す構成図である。第１の実施の形態の換気装置１Ａは、給気ファン２と排気ファン３と間接気化冷却ユニット４を備える。
【００３３】
また、換気装置１Ａは、屋外からの外気ＯＡ（OutsideAir）を吸い込む外気吸込口５と、給気ＳＡ（SupplyAir）を室内に吹き出す給気吹出口６を備える。更に、換気装置１Ａは、室内からの還気ＲＡ（ReturnAir）を吸い込む還気吸込口７と、排気ＥＡ（ExhaustAir）を屋外に吹き出す排気吹出口８を備える。なお、各吹出口及び各吸込口は、例えば図示しないダクト等を介して室内及び屋外と接続される。
【００３４】
給気ファン２及び排気ファン３は例えばシロッコファンで、給気ファン２は、外気吸込口５から給気吹出口６へ連通した給気流路９Ａにおいて、給気吹出口６へ向かうエアの流れを生成する。また、排気ファン３は、還気吸込口７から排気吹出口８へ連通した排気流路１０Ａにおいて、排気吹出口８へ向かうエアの流れを生成する。
【００３５】
間接気化冷却ユニット４は、間接気化エレメント１１と、給排水装置１２とドレンパン１３等を備える。間接気化エレメント１１は、水の気化熱で冷却されるワーキングエアＷＡが通るワーキングエア流路１１ａと、ワーキングエアＷＡとの間で顕熱（温度）交換が行われるプロダクトエアＰＡが通るプロダクトエア流路１１ｂを備える。なお、間接気化冷却ユニット４を断熱材で囲う構成としても良い。
【００３６】
給排水装置１２は、例えば電磁弁で構成される給水バルブ１２ａを備えて、間接気化エレメント１１に対する給水を行う。ドレンパン１３は、給排水装置１２で間接気化エレメント１１に供給された水を受ける。なお、給排水装置１２は、例えば電磁弁で構成される排水バルブ１２ｂを備えて、ドレンパン１３の水を排水できるようにしても良い。
【００３７】
給排水装置１２は、例えば、間接気化エレメント１１の上側から水を滴下または散水し、ドレンパン１３で受ける構成である。
【００３８】
給気流路９Ａは、外気吸込口５から給気ファン２及び間接気化エレメント１１のプロダクトエア流路１１ｂを通り、給気吹出口６へ連通する。排気流路１０Ａは、還気吸込口７から間接気化エレメント１１のワーキングエア流路１１ａ及び排気ファン３を通り、排気吹出口８へ連通する。なお、間接気化冷却エレメント１１の前の給気流路９Ａに、エアを攪拌する拡散板を備えても良い。
【００３９】
給気流路９Ａは、例えば間接気化冷却ユニット４の上流側に給気流量調整ダンパ１４を備える。給気流量調整ダンパ１４は流量制御手段を構成し、開閉によりエアの流量を調整するダンパと、ダンパを駆動するモータを備え、給気流量調整ダンパ１４の開度を調整することで、給気流路９Ａを流れるエアの流量が調整される。これにより、間接気化冷却ユニット４を構成する間接気化エレメント１１のプロダクトエア流路１１ｂを流れるプロダクトエアＰＡの流量が調整される。
【００４０】
排気流路１０Ａは、例えば間接気化冷却ユニット４の上流側に排気流量調整ダンパ１５を備える。排気流量調整ダンパ１５は流量制御手段を構成し、開閉によりエアの流量を調整するダンパと、ダンパを駆動するモータを備え、排気流量調整ダンパ１５の開度を調整することで、排気流路１０Ａを流れるエアの流量が調整される。これにより、間接気化冷却ユニット４を構成する間接気化エレメント１１のワーキングエア流路１１ａを流れるワーキングエアＷＡの流量が調整される。
【００４１】
また、給気流路９Ａは、例えば間接気化冷却ユニット４の上流側に空気清浄装置として空気清浄フィルタ１６を備える。給気流路９Ａに空気清浄フィルタ１６を備えることで、外気ＯＡから粉塵等が除去された給気ＳＡが室内に供給される。また、空気清浄フィルタ１６を間接気化冷却ユニット４の上流側に配置することで、間接気化エレメント１１への粉塵等の侵入を防ぐ。
【００４２】
更に、給気流路９Ａは、給気吹出口６に温度センサ１７を備えることで、給気温度が検出される。なお、給気ファン２及び排気ファン３は間接気化冷却ユニット４の下流側に備えても良い。
【００４３】
＜間接気化エレメントの構成＞
図２は間接気化エレメント１１の概要を示す説明図で、図２（ａ）は間接気化エレメント１１の全体構成、図２（ｂ）は間接気化エレメント１１の要部構成、図２（ｃ）は冷却原理を示す。
【００４４】
間接気化エレメント１１は、図２（ｂ）に示すように、仕切り２１ａで仕切られた複数の第１の流路２１ｂを有するドライセル２１と、仕切り２２ａで仕切られた複数の第２の流路２２ｂを有するウェットセル２２と、ドライセル２１とウェットセル２２を仕切る隔壁２３とを備える。
【００４５】
ドライセル２１とウェットセル２２は、第１の流路２１ｂと第２の流路２２ｂが直交する向きで、隔壁２３を挟んで積層される。
【００４６】
隔壁２３は、図２（ｃ）に示すように、ポリエチレンフィルム等で形成された防湿フィルム２３ａと、パルプ等で形成された湿潤層２３ｂを備え、防湿フィルム２３ａがドライセル２１に面し、湿潤層２３ｂがウェットセル２２に面する。
【００４７】
また、隔壁２３は、図２（ｂ）に示すように、一部の第１の流路２１ｂと第２の流路２２ｂを連通させる通気孔２３ｃが形成される。更に、図２（ａ）に示すように、通気孔２３ｃが形成された第１の流路２１ｂの出口には閉塞部２４が形成され、エアが通り抜けないように構成される。
【００４８】
これにより、間接気化エレメント１１において、ワーキングエア流路１１ａは、通気孔２３ｃが形成された第１の流路２１ｂの入口から、第１の流路２１ｂ、通気孔２３ｃ及び第２の流路２２ｂを通り、第２の流路２２ｂの出口へ連通する。また、プロダクトエア流路１１ｂは、通気孔２３ｃが形成されていない第１の流路２１ｂの入口から、第１の流路２１ｂを通りこの第１の流路２１ｂの出口へ連通する。
【００４９】
図２（ｃ）を参照に間接気化エレメント１１による冷却原理の概要を説明する。ここで、ワーキングエアＷＡとプロダクトエアＰＡは直交する向きに流れるが、図２（ｃ）ではワーキングエアＷＡとプロダクトエアＰＡの流れる向きを平行に図示している。
【００５０】
ワーキングエア流路１１ａに面した湿潤層２３ｂは、図１に示す給排水装置１２によって水が供給される。これにより、ワーキングエア流路１１ａを通るワーキングエアＷＡと湿潤層２３ｂの温度差によって水分が気化し、ワーキングエアＷＡが冷却される。
【００５１】
ワーキングエアＷＡが冷却されると、ワーキングエア流路１１ａと隔壁２３で仕切られたプロダクトエア流路１１ｂを通るプロダクトエアＰＡは、隔壁２３を通して冷熱を受けて冷却される。
【００５２】
ここで、隔壁２３を構成する防湿フィルム２３ａは水分を通さないことから、プロダクトエアＰＡはプロダクトエア流路１１ｂを通過しても絶対湿度が変化しない。なお、ワーキングエアＷＡは、ワーキングエア流路１１ａを通過すると高湿度になる。
【００５３】
一例として、プロダクトエアＰＡ及びワーキングエアＷＡの入力温度が３０℃、絶対湿度が１０ｇ／ｋｇ（ＤＡ：ドライエア）、相対湿度が約４０％ＲＨとした場合、プロダクトエアＰＡの出口温度は２０℃と下がる。なお相対湿度は温度が下がるため約７０％ＲＨと上がるが、絶対湿度は１０ｇ／ｋｇ（ＤＡ）であり、変化しない。
【００５４】
また、ワーキングエアＷＡの出口温度は２３℃と下がる。但し、絶対湿度は１６ｇ／ｋｇ（ＤＡ）と上がる。
【００５５】
＜間接気化エレメントの冷却原理＞
間接気化エレメント１１の冷却原理は、プロダクトエアＰＡの温度Ｔｄ、絶対湿度Ｘｄ、風量Ｇｄ、ワーキングエアＷＡの温度Ｔｗ、絶対湿度Ｘｗ、風量Ｇｗ、その他パラメータを用いて以下の様に表せる。
【００５６】
（１）エネルギー保存則より
【００５７】
【数１】
2006105425.tif 000003
【００５８】
（２）質量保存則より
【００５９】
【数２】
2006105425.tif 000004
【００６０】
（３）ワーキングエアＷＡの流量とプロダクトエアＰＡの出口温度の関係
上述した式より、間接気化エレメント１１におけるワーキングエアＷＡの流量とプロダクトエアＰＡの出口温度の関係を求め、図３のグラフに示す。
【００６１】
図３はワーキングエアＷＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ：ドライエア）、入口温度３０℃固定、プロダクトエアＰＡの流量は５０ｍ3／ｈｒ固定とする。
【００６２】
図３より、ワーキングエアＷＡの流量が高い程、プロダクトエアＰＡの出口温度が低下していることが判る。なお、間接気化エレメント１１で冷却されたエアには温度分布があるが、各例の温度データは最低温度で記載している。
【００６３】
（４）プロダクトエアＰＡの流量とプロダクトエアＰＡの出口温度の関係
上述した式より、間接気化エレメント１１におけるプロダクトエアＰＡの流量とプロダクトエアＰＡの出口温度の関係を求め、図４のグラフに示す。
【００６４】
図４はプロダクトエアＰＡの流量とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、入口温度３０℃固定、ワーキングエアＷＡの流量は５０ｍ3／ｈｒ固定とする。
【００６５】
図４より、プロダクトエアＰＡの流量が低い程、プロダクトエアＰＡの出口温度が低下していることが判る。
【００６６】
（５）ワーキングエアＷＡ及びプロダクトエアＰＡの入口温度とプロダクトエアＰＡの出口温度の関係
上述した式より、間接気化エレメント１１におけるワーキングエアＷＡ及びプロダクトエアＰＡの入口温度とプロダクトエアＰＡの出口温度の関係を求め、図５のグラフに示す。
【００６７】
図５はワーキングエアＷＡ及びプロダクトエアＰＡの入口温度とプロダクトエアＰＡの出口温度の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００６８】
図５より、ワーキングエアＷＡ及びプロダクトエアＰＡの入口温度が高い程、プロダクトエアＰＡの出口温度が上昇していることが判る。
【００６９】
（６）ワーキングエアＷＡ及びプロダクトエアＰＡの入口温度と水の消費量の関係
上述した式より、間接気化エレメント１１におけるワーキングエアＷＡ及びプロダクトエアＰＡの入口温度と水の消費量の関係を求め、図６のグラフに示す。
【００７０】
図６はワーキングエアＷＡ及びプロダクトエアＰＡの入口温度と水の消費量の関係を示すグラフで、間接気化エレメント１１に入力されるワーキングエアＷＡとプロダクトエアＰＡの条件は、絶対湿度５．２６ｇ／ｋｇ（ＤＡ）、流量は５０ｍ3／ｈｒ固定とする。
【００７１】
図６より、ワーキングエアＷＡ及びプロダクトエアＰＡの入口温度が高い程、冷却に使用する水の消費量が多くなることが判る。
【００７２】
これにより、図５及び図６から、ワーキングエアＷＡ及びプロダクトエアＰＡの入口温度を下げれば、プロダクトエアＰＡの出口温度が下がり、また、水の消費量が減ることが判る。
【００７３】
（７）ワーキングエアＷＡ及びプロダクトエアＰＡの入口湿度とプロダクトエアＰＡの出口温度の関係
上述した式より、間接気化エレメント１１におけるワーキングエアＷＡ及びプロダクトエアＰＡの入口湿度とプロダクトエアＰＡの出口温度の関係を求め、図７のグラフに示す。
【００７４】
図７はワーキングエアＷＡ及びプロダクトエアＰＡの入口湿度とプロダクトエアＰＡの出口温度の関係を示すグラフで、間接気化エレメント１１に入力されるワーキングエアＷＡとプロダクトエアＰＡの条件は、温度３０℃、流量は５０ｍ3／ｈｒ固定とする。
【００７５】
図７より、ワーキングエアＷＡ及びプロダクトエアＰＡの入口湿度が低い程、プロダクトエアＰＡの出口温度が低下していることが判る。
【００７６】
以上のことから、間接気化エレメント１１では、ワーキングエアＷＡの流量、プロダクトエアＰＡの流量、ワーキングエアＷＡの入口温度、プロダクトエアＰＡの入口温度、ワーキングエアＷＡの入口湿度、プロダクトエアＰＡの入口湿度等を制御することで、プロダクトエアＰＡの出口温度を制御できることが判る。
【００７７】
＜第１の実施の形態の換気装置１Ａの動作＞
次に、図１等を参照に第１の実施の形態の換気装置１Ａの動作について説明する。換気装置１Ａは、給気ファン２が駆動されると、給気流路９Ａにおいて給気吹出口６へ向かうエアの流れが生成される。これにより、外気ＯＡが外気吸込口５から吸い込まれ、空気清浄フィルタ１６及び間接気化エレメント１１のプロダクトエア流路１１ｂを通り、給気吹出口６から給気ＳＡとして室内に供給される。
【００７８】
また、排気ファン３が駆動されると、排気流路１０Ａにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。
【００７９】
従って、換気装置１Ａでは、外気ＯＡがプロダクトエアＰＡとなり、還気ＲＡがワーキングエアＷＡとなる。
【００８０】
図２で説明したように、間接気化エレメント１１では、ワーキングエア流路１１ａを通るワーキングエアＷＡが水の気化熱で冷却され、ワーキングエアＷＡが冷却されると、プロダクトエア流路１１ｂを通るプロダクトエアＰＡがワーキングエアＷＡの冷熱を受けて冷却される。
【００８１】
そして、ワーキングエア流路１１ａとプロダクトエア流路１１ｂの間では湿度の移動は起こらないので、間接気化エレメント１１のプロダクトエア流路１１ｂを通った外気ＯＡは、湿度（絶対湿度）は変化せずに温度は下がる。
【００８２】
よって、間接気化エレメント１１のプロダクトエア流路１１ｂを通過した外気ＯＡを、給気吹出口６から給気ＳＡとして吹き出すことで、室内の温度を下げることができる。
【００８３】
なお、間接気化エレメント１１のワーキングエア流路１１ａを通った還気ＲＡは高湿度のエアとなるので、排気吹出口８から排気ＥＡとして排出する。
【００８４】
換気装置１Ａでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【００８５】
これにより、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【００８６】
すなわち、排気流量調整ダンパ１５の開度を制御して、ワーキングエアＷＡの流量を増加させると、間接気化エレメント１１におけるプロダクトエアＰＡの出口温度が低下する。よって、給気吹出口６からの給気温度を下げることができる。
【００８７】
また、排気流量調整ダンパ１５の開度を制御して、ワーキングエアＷＡの流量を減少させると、間接気化エレメント１１におけるプロダクトエアＰＡの出口温度が上昇する。よって、給気吹出口６からの給気温度を上げることができる。
【００８８】
更に、給気流量調整ダンパ１４の開度を制御して、プロダクトエアＰＡの流量を増加させると、間接気化エレメント１１におけるプロダクトエアＰＡの出口温度が上昇する。よって、給気吹出口６からの給気温度を上げることができる。
【００８９】
また、給気流量調整ダンパ１４の開度を制御して、プロダクトエアＰＡの流量を減少させると、間接気化エレメント１１におけるプロダクトエアＰＡの出口温度が低下する。よって、給気吹出口６からの給気温度を下げることができる。
【００９０】
このように、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【００９１】
また、給気流量調整ダンパ１４と排気流量調整ダンパ１５の双方を作動させて、プロダクトエアＰＡの流量及びワーキングエアＷＡの流量を調整することでも、間接気化エレメント１１におけるプロダクトエアＰＡの出口温度が制御され、給気吹出口６からの給気温度が制御される。
【００９２】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【００９３】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【００９４】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【００９５】
上述した温度制御は、後述する設定スイッチで手動で行うこともできるし、温度センサ１７等を利用して、温度に合わせて自動調整することも可能である。
【００９６】
なお、夏場に換気装置１Ａを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【００９７】
そして、還気ＲＡを利用することで、室内のエアを屋外に排気しながら、外気を冷却して取り入れることができ、換気装置１Ａは換気を行いながら冷房を行う機能を有することになる。
【００９８】
また、建築基準法によって、住宅の空気を所定時間で入れ替えることができる換気設備の設置が必要となり、ファンを利用して強制的に換気が行えるようにした換気装置等を利用して、所定時間で部屋の空気の入れ替えができるようにしている。
【００９９】
本例の換気装置１Ａは、換気を行いながら冷房を行う機能を有するので、別の換気装置を備えることなく、還気ＲＡの流量と、給気ＳＡの流量を調整することで、所定時間で部屋の空気を入れ替えるような換気動作が可能で、２４時間換気装置としても利用できる。このため、換気装置１Ａでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１００】
２４時間換気機能は、建物内の換気対象エリアの所定回数換気（例えば、０．５回／時間）を満たすような連続的または断続的に常時換気をする機能である。これは、換気装置１のみで所定換気回数を満たしても良いし、他の換気装置の換気量を合わせて所定回数換気を満たすようしても良い。また、冬季等で、所定換気回数を少なくするため、操作手段のスイッチや温度を検出して、手動または自動で切り換えられるようにして、２４時間換気風量を小さくなるようにしても良い。
【０１０１】
＜第１の実施の形態の換気装置１Ａの変形例＞
図８は第１の実施の形態の換気装置１Ａの変形例を示す概略構成図である。図８に示す換気装置１Ａ−１は、排気流路１０Ａを間接気化冷却ユニット４の上流で分岐して、図１に示す排気吹出口８と連通したバイパス排気流路１０Ａ−１を備えたものである。バイパス排気流路１０Ａ−１に流れるエアの流量を調整する排気流量調整ダンパ等を備えることで、間接気化冷却ユニット４のワーキングエア流路１１ａを流れるワーキングエアＷＡの流量が調整され、冷却温度が調整される。
【０１０２】
また、間接気化冷却ユニット４より上流側で給気流路９Ａから分岐し、間接気化冷却ユニット４をバイパスして図１に示す給気吹出口６へ連通したバイパス流路と、バイパス流路を流れるエアの流量を調整する給気流量調整ダンパを備えて、間接気化冷却ユニット４をバイパスして給気吹出口６へ供給されるエアの流量を調整することでも、冷却温度の調整が可能となる。
【０１０３】
更に、給気吹出口６を複数備えると共に、各給気吹出口６からの給気流量を調整する給気流量調整ダンパ等を備えて、各給気吹出口からの給気流量を制御できるようにしても良い。
【０１０４】
＜第２の実施の形態の換気装置１Ｂの構成＞
図９は第２の実施の形態の換気装置１Ｂの一例を示す構成図である。第２の実施の形態の換気装置１Ｂは、間接気化冷却ユニット４を構成する間接気化エレメント１１のワーキングエアＷＡに外気ＯＡを使用するものである。なお、第２の実施の形態の換気装置１Ｂにおいて、第１の実施の形態の換気装置１Ａと同じ構成要素については、同じ番号を付して説明する。
【０１０５】
換気装置１Ｂは、外気吸込口５から給気ファン２及び間接気化エレメント１１のプロダクトエア流路１１ｂを通り、給気吹出口６へ連通する給気流路９Ｂを備える。
【０１０６】
また、換気装置１Ｂは、給気ファン２より下流側で給気流路９Ｂと分岐し、間接気化エレメント１１のワーキングエア流路１１ａ及び排気ファン３を通り、排気吹出口８へ連通する第２の排気流路１０Ｂと、還気吸込口７から排気ファン３を通り、排気吹出口８へ連通した第１の排気流路１０Ｃを備える。なお、第１の排気流路１０Ｃの破線で示す部分は、給気流路９Ｂと独立するように、例えばケースの側壁に沿って形成される。
【０１０７】
給気流路９Ｂは、第２の排気流路１０Ｂとの分岐位置より下流側で、例えば間接気化冷却ユニット４の上流側に給気流量調整ダンパ１４を備える。また、第２の排気流路１０Ｂは、給気流路９Ｂとの分岐位置より下流側で、例えば間接気化冷却ユニット４の上流側に排気流量調整ダンパ１５を備える。
【０１０８】
給気流量調整ダンパ１４の開度を調整することで、給気流路９Ｂを流れるエアの流量が調整される。これにより、間接気化エレメント１１のプロダクトエア流路１１ｂを流れるプロダクトエアＰＡの流量が調整される。
【０１０９】
また、排気流量調整ダンパ１５の開度を調整することで、第２の排気流路１０Ｂを流れるエアの流量が調整される。これにより、間接気化エレメント１１のワーキングエア流路１１ａを流れるワーキングエアＷＡの流量が調整される。
【０１１０】
なお、給気流路９Ｂは、例えば第２の排気流路１０Ｂとの分岐位置より上流側に空気清浄フィルタ１６を備える。更に、給気流路９Ｂは、給気吹出口６に温度センサ１７を備える。
【０１１１】
＜第２の実施の形態の換気装置１Ｂの動作＞
次に、図９等を参照に第２の実施の形態の換気装置１Ｂの動作について説明する。換気装置１Ｂは、給気ファン２が駆動されると、給気流路９Ｂにおいて給気吹出口６へ向かうエアの流れが生成される。これにより、外気ＯＡが外気吸込口５から吸い込まれ、間接気化エレメント１１のプロダクトエア流路１１ｂを通り、給気吹出口６から給気ＳＡとして室内に供給される。
【０１１２】
また、排気ファン３が駆動されると、第２の排気流路１０Ｂ及び第１の排気流路１０Ｃにおいて排気吹出口８へ向かうエアの流れが生成される。これにより、第２の排気流路１０Ｂによって外気ＯＡの一部が間接気化エレメント１１のワーキングエア流路１１ａを通り、排気吹出口８から排気ＥＡとして屋外に排出される。また、第１の排気流路１０Ｃによって、室内からの還気ＲＡが還気吸込口７から吸い込まれ、排気吹出口８から排気ＥＡとして屋外に排出される。
【０１１３】
従って、換気装置１Ｂでは、外気ＯＡがプロダクトエアＰＡ及びワーキングエアＷＡとなる。
【０１１４】
上述したしたように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１１５】
よって、間接気化エレメント１１のプロダクトエア流路１１ｂを通過した外気ＯＡを、給気吹出口６から給気ＳＡとして吹き出すことで、室内の温度を下げることができる。
【０１１６】
なお、間接気化エレメント１１のワーキングエア流路１１ａを通った外気ＯＡは高湿度のエアとなるので、排気吹出口８から排気ＥＡとして排出する。
【０１１７】
換気装置１Ｂでは、第１の実施の形態の換気装置１Ａと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１１８】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０１１９】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１２０】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１２１】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１２２】
換気装置１Ｂは、還気ＲＡを屋外に排気する機能を有するので、室内のエアを屋外に排気しながら、外気を冷却して取り入れることができ、換気装置１Ｂは換気を行いながら冷房を行う機能を有することになる。
【０１２３】
そして、還気ＲＡの流量と、給気ＳＡの流量を調整することで、所定時間で部屋の空気を入れ替えるような換気動作が可能である。このため、換気装置１Ｂでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１２４】
＜第３の実施の形態の換気装置１Ｄの構成＞
図１０は第３の実施の形態の換気装置１Ｄの一例を示す構成図である。第３の実施の形態の換気装置１Ｄは、給気ファン２と排気ファン３と間接気化冷却ユニット４に加え、熱交換ユニット３１を備える。なお、第３の実施の形態の換気装置１Ｄにおいて、第１の実施の形態の換気装置１Ａと同じ構成要素については、同じ番号を付して説明する。
【０１２５】
熱交換ユニット３１は、熱交換エレメント３２と図示しないフィルタ等を備える。熱交換エレメント３２は、第１の流路３２ａが形成された熱交換素子材と第２の流路３２ｂが形成された熱交換素子材を、第１の流路３２ａと第２の流路３２ｂが直交する向きで積層した直交流式熱交換器である。第１の流路３２ａと第２の流路３２ｂは図示しない隔壁で仕切られ、第１の流路３２ａと第２の流路３２ｂに供給されたエアの間で顕熱交換が行われる。なお、熱交換ユニット３１を断熱材で囲う構成としても良い。そして、間接気化冷却ユニット４と、熱交換ユニット３１を独立した断熱材で囲うことで、メンテナンス性等が向上する。
【０１２６】
給気流路９Ｄは、外気吸込口５から給気ファン２、熱交換ユニット３１を構成する熱交換エレメント３２の第１の流路３２ａ及び間接気化冷却ユニット４を構成する間接気化エレメント１１のプロダクトエア流路１１ｂを通り、給気吹出口６へ連通する。
【０１２７】
第２の排気流路１０Ｅは、還気吸込口７から間接気化エレメント１１のワーキングエア流路１１ａ及び排気ファン３を通り、排気吹出口８へ連通する。また、第１の排気流路１０Ｆは、還気吸込口７から熱交換エレメント３２の第２の流路３２ｂ及び排気ファン３を通り、排気吹出口８へ連通する。
【０１２８】
給気流路９Ｄは、例えば熱交換ユニット３１の上流側に給気流量調整ダンパ１４を備える。給気流量調整ダンパ１４の開度を調整することで、給気流路９Ｄを流れるエアの流量が調整される。これにより、間接気化エレメント１１のプロダクトエア流路１１ｂを流れるプロダクトエアＰＡの流量が調整される。
【０１２９】
第２の排気流路１０Ｅは、例えば間接気化冷却ユニット４の上流側に排気流量調整ダンパ１５を備える。排気流量調整ダンパ１５の開度を調整することで、第２の排気流路１０Ｅを流れるエアの流量が調整される。これにより、間接気化エレメント１１のワーキングエア流路１１ａを流れるワーキングエアＷＡの流量が調整される。
【０１３０】
また、給気流路９Ｄは、例えば熱交換ユニット３１の上流側に空気清浄フィルタ１６を備える。空気清浄フィルタ１６を熱交換ユニット３１の上流側に配置することで、熱交換エレメント３２及び間接気化エレメント１１への粉塵等の侵入を防ぐ。
【０１３１】
更に、給気流路９Ｄは、給気吹出口６に温度センサ１７を備えることで、給気温度が検出される。
【０１３２】
＜第３の実施の形態の換気装置１Ｄの動作＞
次に、図１０等を参照に第３の実施の形態の換気装置１Ｄの動作について説明する。換気装置１Ｄは、給気ファン２が駆動されると、給気流路９Ｄにおいて給気吹出口６へ向かうエアの流れが生成される。これにより、外気ＯＡが外気吸込口５から吸い込まれ、空気清浄フィルタ１６、熱交換エレメント３２の第１の流路３２ａ及び間接気化エレメント１１のプロダクトエア流路１１ｂを通り、給気吹出口６から給気ＳＡとして室内に供給される。
【０１３３】
また、排気ファン３が駆動されると、第２の排気流路１０Ｅ及び第１の排気流路１０Ｆにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂを通り、排気吹出口８から排気ＥＡとして屋外に排出される。
【０１３４】
従って、換気装置１Ｄでは、外気ＯＡがプロダクトエアＰＡとなり、還気ＲＡがワーキングエアＷＡとなる。
【０１３５】
熱交換エレメント３２では、第１の流路３２ａを通る外気ＯＡと、第２の流路３２ｂを通る還気ＲＡの間で熱交換が行われる。夏場に換気装置１Ｄを使用することで、室内の温度が下げられ、還気ＲＡの温度は外気ＯＡの温度よりも低い。
【０１３６】
よって、熱交換エレメント３２の第１の流路３２ａを通った外気ＯＡは温度が下がり、第２の流路３２ｂを通った還気ＲＡは温度が上がる。
【０１３７】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１３８】
よって、間接気化エレメント１１のプロダクトエア流路１１ｂを通過した外気ＯＡを、給気吹出口６から給気ＳＡとして吹き出すことで、室内の温度を下げることができる。
【０１３９】
ここで、間接気化エレメント１１のプロダクトエア流路１１ｂを通る外気ＯＡは、前段の熱交換ユニット３１で温度が下げられている。これにより、図５で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１４０】
また、図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０１４１】
なお、間接気化エレメント１１のワーキングエア流路１１ａを通った還気ＲＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１４２】
換気装置１Ｄでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１４３】
これにより、熱交換ユニット３１を備えた換気装置１Ｄでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０１４４】
例えば、ワーキングエアＷＡの流量を増加させると、間接気化エレメント１１におけるプロダクトエアＰＡの出口温度が低下することで、給気吹出口６からの給気温度を下げることができる。
【０１４５】
また、ワーキングエアＷＡの流量を減少させると、間接気化エレメント１１におけるプロダクトエアＰＡの出口温度が上昇することで、給気吹出口６からの給気温度を上げることができる。
【０１４６】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０１４７】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０１４８】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１４９】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１５０】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１５１】
熱交換ユニット３１を備えた構成と、熱交換ユニット３１を備えていない構成の比較例を図１０（ｂ）に示すと、まず、熱交換ユニット３１を備えていない構成では、４０℃の外気ＯＡを取り入れて間接気化冷却ユニット４で冷却すると、図５に示すグラフから、２１℃の給気ＳＡが生成できることが判るが、同時に図６に示すように、０．４８ｋｇ／ｈｒの水を消費する。
【０１５２】
そこで、取り込んだ外気ＯＡの温度を下げる熱交換ユニット３１を組み込むこととした。熱交換ユニット３１を構成する熱交換エレメント３２は、一般的に７０％程度の熱交換率を有しており、４０℃の外気ＯＡと２５℃の還気ＲＡ（室内空気）で熱交換すると、熱交換効率７０％で間接気化冷却ユニット４に２９．５℃のエアを供給できることになる。
【０１５３】
この条件で間接気化エレメント１１のプロダクトエアＰＡとワーキングエアＷＡとして供給すると、１７℃の給気ＳＡを生成でき、水の消費量も０．３２ｋｇ／ｈｒと抑えることができることが判った。
【０１５４】
これにより、換気装置１Ｄは、熱交換ユニット３１を備え、熱交換ユニット３１と間接気化冷却ユニット４で還気ＲＡを利用することで、冷却能力が向上すると共に、水の消費を抑えることができる。また、還気ＲＡを利用することで、室内のエアを屋外に排気しながら、外気を冷却して取り入れることができ、換気装置１Ｄは換気を行いながら冷房を行う機能を有することになる。
【０１５５】
そして、還気ＲＡの流量と、給気ＳＡの流量を調整することで、所定時間で部屋の空気を入れ替えるような換気動作が可能である。このため、換気装置１Ｄでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１５６】
なお、間接気化冷却ユニット４より上流側で給気流路９Ｄから分岐し、間接気化冷却ユニット４をバイパスして給気吹出口６へ連通したバイパス流路と、バイパス流路を流れるエアの流量を調整する給気流量調整ダンパを備えて、間接気化冷却ユニット４をバイパスして給気吹出口６へ供給されるエアの流量を調整することでも、冷却温度の調整が可能となる。
【０１５７】
＜第４の実施の形態の換気装置１Ｅの構成＞
図１１は第４の実施の形態の換気装置１Ｅの一例を示す構成図である。第４の実施の形態の換気装置１Ｅは、熱交換ユニット３１を備えた換気装置１Ｅにおいて、間接気化冷却ユニット４を構成する間接気化エレメント１１のワーキングエアＷＡに外気ＯＡを使用するものである。なお、第５の実施の形態の換気装置１Ｅにおいて、第４の実施の形態の換気装置１Ｄと同じ構成要素については、同じ番号を付して説明する。
【０１５８】
換気装置１Ｅは、外気吸込口５から給気ファン２、熱交換エレメント３２の第１の流路３２ａ及び間接気化エレメント１１のプロダクトエア流路１１ｂを通り、給気吹出口６へ連通する給気流路９Ｅを備える。
【０１５９】
また、換気装置１Ｅは、熱交換ユニット３１より下流側で給気流路９Ｅと分岐し、間接気化エレメント１１のワーキングエア流路１１ａ及び排気ファン３を通り、排気吹出口８へ連通する第２の排気流路１０Ｇと、還気吸込口７から熱交換エレメント３２の第２の流路３２ｂ及び排気ファン３を通り、排気吹出口８へ連通した第１の排気流路１０Ｈを備える。
【０１６０】
給気流路９Ｅは、例えば熱交換ユニット３１の上流側に給気流量調整ダンパ１４を備える。また、第２の排気流路１０Ｇは、給気流路９Ｅとの分岐位置より下流側で、例えば間接気化冷却ユニット４の上流側に排気流量調整ダンパ１５を備える。
【０１６１】
給気流量調整ダンパ１４の開度を調整することで、給気流路９Ｅを流れるエアの流量が調整される。これにより、間接気化エレメント１１のプロダクトエア流路１１ｂを流れるプロダクトエアＰＡの流量が調整される。
【０１６２】
また、排気流量調整ダンパ１５の開度を調整することで、第２の排気流路１０Ｇを流れるエアの流量が調整される。これにより、間接気化エレメント１１のワーキングエア流路１１ａを流れるワーキングエアＷＡの流量が調整される。
【０１６３】
なお、給気流路９Ｅは、例えば熱交換ユニット３１より上流側に空気清浄フィルタ１６を備える。更に、給気流路９Ｅは、給気吹出口６に温度センサ１７を備える。
【０１６４】
＜第４の実施の形態の換気装置１Ｅの動作＞
次に、図１１等を参照に第４の実施の形態の換気装置１Ｅの動作について説明する。換気装置１Ｅは、給気ファン２が駆動されると、給気流路９Ｅにおいて給気吹出口６へ向かうエアの流れが生成される。これにより、外気ＯＡが外気吸込口５から吸い込まれ、熱交換エレメント３２の第１の流路３２ａ及び間接気化エレメント１１のプロダクトエア流路１１ｂを通り、給気吹出口６から給気ＳＡとして室内に供給される。
【０１６５】
また、排気ファン３が駆動されると、第２の排気流路１０Ｇ及び第１の排気流路１０Ｈにおいて排気吹出口８へ向かうエアの流れが生成される。これにより、第２の排気流路１０Ｇによって外気ＯＡの一部が間接気化エレメント１１のワーキングエア流路１１ａを通り、排気吹出口８から排気ＥＡとして屋外に排出される。また、第１の排気流路１０Ｈによって、室内からの還気ＲＡが還気吸込口７から吸い込まれ、熱交換エレメント３２の第２の流路３２ｂを通り、排気吹出口８から排気ＥＡとして屋外に排出される。
【０１６６】
従って、換気装置１Ｅでは、外気ＯＡがプロダクトエアＰＡ及びワーキングエアＷＡとなる。
【０１６７】
熱交換エレメント３２では、第１の流路３２ａを通る外気ＯＡと、第２の流路３２ｂを通る還気ＲＡの間で熱交換が行われる。夏場に換気装置１Ｅを使用することで、室内の温度が下げられ、還気ＲＡの温度は外気ＯＡの温度よりも低い。
【０１６８】
よって、熱交換エレメント３２の第１の流路３２ａを通った外気ＯＡは温度が下がり、第２の流路３２ｂを通った還気ＲＡは温度が上がる。
【０１６９】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１７０】
よって、間接気化エレメント１１のプロダクトエア流路１１ｂを通過した外気ＯＡを、給気吹出口６から給気ＳＡとして吹き出すことで、室内の温度を下げることができる。
【０１７１】
ここで、間接気化エレメント１１のプロダクトエア流路１１ｂを通る外気ＯＡは、前段の熱交換ユニット３１で温度が下げられている。これにより、図５で説明したように、プロダクトエアＰＡの入力温度が低いと、プロダクトエアＰＡの出口温度が下がるので、間接気化冷却ユニット４の前段に熱交換ユニット３１を配置して、プロダクトエアＰＡの入力温度を下げることで、効率的にプロダクトエアＰＡの出口温度を下げて、給気温度を制御することができる。
【０１７２】
また、図５で説明したように、ワーキングエアＷＡの入力温度が低いと、プロダクトエアＰＡの出口温度が下がるので、熱交換ユニット３１で冷却された外気ＯＡの一部をワーキングエアＷＡとして利用することで、効率的にプロダクトエアＰＡの出口温度を下げて、給気温度を制御することができる。
【０１７３】
なお、間接気化エレメント１１のワーキングエア流路１１ａを通った外気ＯＡは高湿度のエアとなるので、排気吹出口８から排気ＥＡとして排出する。また、熱交換エレメント３２の第２の流路３２ｂを通った還気ＲＡは温度が上がるので、排気吹出口８から排気ＥＡとして排出する。
【０１７４】
換気装置１Ｅでは、第４の実施の形態の換気装置１Ｄと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０１７５】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０１７６】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０１７７】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０１７８】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０１７９】
換気装置１Ｅは、熱交換ユニット３１を備え、熱交換ユニット３１で還気ＲＡを利用し、熱交換ユニット３１で冷却されたＯＡを間接気化冷却ユニット４で利用することで、冷却能力が向上する。また、還気ＲＡを利用することで、室内のエアを屋外に排気しながら、外気を冷却して取り入れることができ、換気装置１Ｅは換気を行いながら冷房を行う機能を有することになる。
【０１８０】
そして、還気ＲＡの流量と、給気ＳＡの流量を調整することで、所定時間で部屋の空気を入れ替えるような換気動作が可能である。このため、換気装置１Ｅでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０１８１】
＜第５の実施の形態の換気装置１Ｇの構成＞
図１２は第５の実施の形態の換気装置１Ｇの一例を示す構成図である。第５の実施の形態の換気装置１Ｇは、給気ファン２と排気ファン３と間接気化冷却ユニット４に加え、除湿ユニット３３を備える。なお、第５の実施の形態の換気装置１Ｇにおいて、第１の実施の形態の換気装置１Ａと同じ構成要素については、同じ番号を付して説明する。
【０１８２】
除湿ユニット３３は、隔壁３４で仕切られた除湿流路３５ａ及び再生流路３５ｂと、除湿流路３５ａと再生流路３５ｂに跨って回転駆動される除湿ロータ３６と、再生流路３５ｂを通るエアを加熱するヒータ３７と、除湿ロータ３６を回転駆動する図示しない回転駆動装置を備える。
【０１８３】
除湿ロータ３６は、シリカゲル等の吸着材を有するハニカム構造の部材が、軸方向に連通した流路が形成されるように円板状に構成される。除湿ロータ３６は除湿流路３５ａと再生流路３５ｂに跨って配置され、除湿流路３５ａを通るエア及び再生流路３５ｂを通るエアはそれぞれ除湿ロータ３６を通る。
【０１８４】
なお、除湿ロータ３６において除湿流路３５ａと再生流路３５ｂは隔壁３４で仕切られ、除湿流路３５ａを通るエアと再生流路３５ｂを通るエアが混合されることはない。
【０１８５】
除湿流路３５ａを通るエアは水分が除湿ロータ３６に吸着され、除湿される。除湿ロータ３６は、回転駆動されることで、水分を吸着した部分が再生流路３５ｂ側に移動する。再生流路３５ｂを通るエアはヒータ３７で加熱されることで、再生流路３５ｂを通るエアで除湿ロータ３６が加熱されて水分が蒸発し、再度水分を吸着できる状態に再生する。
【０１８６】
そして、除湿ロータ３６は、再生された部分が除湿流路３５ａ側に移動する。これにより、除湿ユニット３３は、除湿ロータ３６を回転駆動することで、水分の吸着と再生を繰り返しながら、除湿流路３５ａを通るエアが除湿される。
【０１８７】
給気流路９Ｇは、外気吸込口５から給気ファン２、除湿ユニット３３の除湿流路３５ａ及び間接気化エレメント１１のプロダクトエア流路１１ｂを通り、給気吹出口６へ連通する。
【０１８８】
第２の排気流路１０Ｊは、還気吸込口７から間接気化エレメント１１のワーキングエア流路１１ａ及び排気ファン３を通り、排気吹出口８へ連通する。また、第１の排気流路１０Ｋは、還気吸込口７から除湿ユニット３３の再生流路３５ｂ及び排気ファン３を通り、排気吹出口８へ連通する。
【０１８９】
給気流路９Ｇは、例えば除湿ユニット３３の上流側に給気流量調整ダンパ１４を備える。給気流量調整ダンパ１４の開度を調整することで、給気流路９Ｇを流れるエアの流量が調整される。これにより、間接気化エレメント１１のプロダクトエア流路１１ｂを流れるプロダクトエアＰＡの流量が調整される。
【０１９０】
第２の排気流路１０Ｊは、例えば間接気化冷却ユニット４の上流側に排気流量調整ダンパ１５を備える。排気流量調整ダンパ１５の開度を調整することで、第２の排気流路１０Ｊを流れるエアの流量が調整される。これにより、間接気化エレメント１１のワーキングエア流路１１ａを流れるワーキングエアＷＡの流量が調整される。
【０１９１】
また、給気流路９Ｇは、例えば除湿ユニット３３の上流側に空気清浄フィルタ１６を備える。空気清浄フィルタ１６を除湿ユニット３３の上流側に配置することで、除湿ロータ３６及び間接気化エレメント１１への粉塵等の侵入を防ぐ。
【０１９２】
更に、給気流路９Ｇは、給気吹出口６に温度センサ１７を備えることで、給気温度が検出される。
【０１９３】
＜第５の実施の形態の換気装置１Ｇの動作＞
次に、図１２等を参照に第５の実施の形態の換気装置１Ｇの動作について説明する。換気装置１Ｇは、給気ファン２が駆動されると、給気流路９Ｇにおいて給気吹出口６へ向かうエアの流れが生成される。これにより、外気ＯＡが外気吸込口５から吸い込まれ、空気清浄フィルタ１６、除湿ユニット３３の除湿流路３５ａ及び間接気化エレメント１１のプロダクトエア流路１１ｂを通り、給気吹出口６から給気ＳＡとして室内に供給される。
【０１９４】
また、排気ファン３が駆動されると、第２の排気流路１０Ｊ及び第１の排気流路１０Ｋにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、除湿ユニット３３の再生流路３５ｂを通り、排気吹出口８から排気ＥＡとして屋外に排出される。
【０１９５】
従って、換気装置１Ｇでは、外気ＯＡがプロダクトエアＰＡとなり、還気ＲＡがワーキングエアＷＡとなる。
【０１９６】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０１９７】
よって、間接気化エレメント１１のプロダクトエア流路１１ｂを通過した外気ＯＡを、給気吹出口６から給気ＳＡとして吹き出すことで、室内の温度を下げることができる。
【０１９８】
ここで、間接気化エレメント１１のプロダクトエア流路１１ｂを通る外気ＯＡは、前段の除湿ユニット３３で湿度が下げられている。これにより、図７で説明したように、プロダクトエアＰＡの入力湿度が低いと、プロダクトエアＰＡの出口温度が下がるので、間接気化冷却ユニット４の前段に除湿ユニット３３を配置して、プロダクトエアＰＡの入力湿度を下げることで、効率的にプロダクトエアＰＡの出口温度を下げて、給気温度を制御することができる。
【０１９９】
また、夏場に換気装置１Ｇを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０２００】
なお、間接気化エレメント１１のワーキングエア流路１１ａを通った還気ＲＡ及び除湿ユニット３３の再生流路３５ｂを通った還気ＲＡは高湿度のエアとなるので、排気吹出口８から排気ＥＡとして排出する。
【０２０１】
換気装置１Ｇでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２０２】
これにより、除湿ユニット３３を備えた換気装置１Ｇでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０２０３】
例えば、ワーキングエアＷＡの流量を増加させると、間接気化エレメント１１におけるプロダクトエアＰＡの出口温度が低下することで、給気吹出口６からの給気温度を下げることができる。
【０２０４】
また、ワーキングエアＷＡの流量を減少させると、間接気化エレメント１１におけるプロダクトエアＰＡの出口温度が上昇することで、給気吹出口６からの給気温度を上げることができる。
【０２０５】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０２０６】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０２０７】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２０８】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２０９】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２１０】
除湿ユニット３３を備えた構成の効果を図１２（ｂ）に示すと、例えば、温度３０℃、絶対湿度１０ｇ／ｋｇ（ＤＡ）、相対湿度約４０％ＲＨの外気ＱＡが、除湿ユニット３３の除湿流路３５ａを通ることで、温度４０℃、絶対湿度５ｇ／ｋｇ（ＤＡ）、相対湿度約１０％ＲＨの入力エアとなる。
【０２１１】
ここで、入力エアの温度が上がるのは、除湿ユニット３３では、除湿ロータ３６が再生流路３５ｂ側ではヒータ３７により加熱されるためである。
【０２１２】
この条件の入力エアを、間接気化冷却ユニット４のプロダクトエアＰＡ及びワーキングエアＷＡとすると、入力湿度（絶対湿度）が低いため、プロダクトエアＰＡの出口温度は２０℃と下がる。なお、絶対湿度が５ｇ／ｋｇ（ＤＡ）と低いので、出口温度は更に下がる余地がある。
【０２１３】
これにより、換気装置１Ｇは、除湿ユニット３３を備え、間接気化冷却ユニット４で還気ＲＡを利用することで、冷却能力が向上する。また、還気ＲＡを利用することで、室内のエアを屋外に排気しながら、外気を冷却して取り入れることができ、換気装置１Ｇは換気を行いながら冷房を行う機能を有することになる。
【０２１４】
そして、還気ＲＡの流量と、給気ＳＡの流量を調整することで、所定時間で部屋の空気を入れ替えるような換気動作が可能である。このため、換気装置１Ｇでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２１５】
なお、間接気化冷却ユニット４より上流側で給気流路９Ｇから分岐し、間接気化冷却ユニット４をバイパスして給気吹出口６へ連通したバイパス流路と、バイパス流路を流れるエアの流量を調整する給気流量調整ダンパを備えて、間接気化冷却ユニット４をバイパスして給気吹出口６へ供給されるエアの流量を調整することでも、冷却温度の調整が可能となる。
【０２１６】
＜第５の実施の形態の換気装置１Ｇの変形例＞
図１３は第５の実施の形態の換気装置１Ｇの変形例を示す概略構成図である。図１３（ａ）に示す換気装置１Ｇ−１は、排気流路１０Ｊを、除湿ユニット３３の除湿流路３５ｃを通し、間接気化エレメント１１のワーキングエア流路１１ａと連通させたものである。
【０２１７】
除湿ユニット３３は、図１３（ｂ）に示すように、除湿流路３５ａが隔壁３４ａで２分割され、給気流路９Ｇと連通した除湿流路３５ａと、排気流路１０Ｊと連通した除湿流路３５ｃは独立している。
【０２１８】
以上の構成では、ワーキングエアＷＡとして利用する還気ＲＡも除湿されることで、ワーキングエアＷＡの入口湿度を下げることができる。よって、冷却能力が向上する。
【０２１９】
図１３（ｃ）に示す換気装置１Ｇ−２は、排気流路１０Ｋに代えて、間接気化冷却ユニット４の上流で給気流路９Ｇから分岐し、除湿ユニット３３の再生流路３５ｂを通り図１２に示す排気吹出口８と連通した排気流路１０Ｋ−１を備えたものである。
【０２２０】
＜第６の実施の形態の換気装置１Ｈの構成＞
図１４は第６の実施の形態の換気装置１Ｈの一例を示す構成図である。第６の実施の形態の換気装置１Ｈは、除湿ユニット３３を備えた換気装置１Ｈにおいて、間接気化冷却ユニット４を構成する間接気化エレメント１１のワーキングエアＷＡに外気ＯＡを使用するものである。なお、第６の実施の形態の換気装置１Ｈにおいて、第５の実施の形態の換気装置１Ｇと同じ構成要素については、同じ番号を付して説明する。
【０２２１】
換気装置１Ｈは、外気吸込口５から給気ファン２、除湿ユニット３３の除湿流路３５ａ及び間接気化エレメント１１のプロダクトエア流路１１ｂを通り、給気吹出口６へ連通する給気流路９Ｈを備える。
【０２２２】
また、換気装置１Ｈは、除湿ユニット３３より下流側で給気流路９Ｈと分岐し、間接気化エレメント１１のワーキングエア流路１１ａ及び排気ファン３を通り、排気吹出口８へ連通する第２の排気流路１０Ｌと、還気吸込口７から除湿ユニット３３の再生流路３５ｂ及び排気ファン３を通り、排気吹出口８へ連通した第１の排気流路１０Ｍを備える。
【０２２３】
給気流路９Ｈは、例えば除湿ユニット３３の上流側に給気流量調整ダンパ１４を備える。また、第２の排気流路１０Ｌは、給気流路９Ｈとの分岐位置より下流側で、例えば間接気化冷却ユニット４の上流側に排気流量調整ダンパ１５を備える。
【０２２４】
給気流量調整ダンパ１４の開度を調整することで、給気流路９Ｈを流れるエアの流量が調整される。これにより、間接気化エレメント１１のプロダクトエア流路１１ｂを流れるプロダクトエアＰＡの流量が調整される。
【０２２５】
また、排気流量調整ダンパ１５の開度を調整することで、第２の排気流路１０Ｌを流れるエアの流量が調整される。これにより、間接気化エレメント１１のワーキングエア流路１１ａを流れるワーキングエアＷＡの流量が調整される。
【０２２６】
なお、給気流路９Ｈは、例えば除湿ユニット３３より上流側に空気清浄フィルタ１６を備える。更に、給気流路９Ｈは、給気吹出口６に温度センサ１７を備える。
【０２２７】
＜第６の実施の形態の換気装置１Ｈの動作＞
次に、図１４等を参照に第６の実施の形態の換気装置１Ｈの動作について説明する。換気装置１Ｈは、給気ファン２が駆動されると、給気流路９Ｈにおいて給気吹出口６へ向かうエアの流れが生成される。これにより、外気ＯＡが外気吸込口５から吸い込まれ、除湿ユニット３３の除湿流路３５ａ及び間接気化エレメント１１のプロダクトエア流路１１ｂを通り、給気吹出口６から給気ＳＡとして室内に供給される。
【０２２８】
また、排気ファン３が駆動されると、第２の排気流路１０Ｌ及び第１の排気流路１０Ｍにおいて排気吹出口８へ向かうエアの流れが生成される。これにより、第２の排気流路１０Ｌによって外気ＯＡの一部が間接気化エレメント１１のワーキングエア流路１１ａを通り、排気吹出口８から排気ＥＡとして屋外に排出される。また、第１の排気流路１０Ｍによって、室内からの還気ＲＡが還気吸込口７から吸い込まれ、除湿ユニット３３の再生流路３５ｂを通り、排気吹出口８から排気ＥＡとして屋外に排出される。
【０２２９】
従って、換気装置１Ｈでは、外気ＯＡがプロダクトエアＰＡ及びワーキングエアＷＡとなる。
【０２３０】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２３１】
よって、間接気化エレメント１１のプロダクトエア流路１１ｂを通過した外気ＯＡを、給気吹出口６から給気ＳＡとして吹き出すことで、室内の温度を下げることができる。
【０２３２】
ここで、間接気化エレメント１１のプロダクトエア流路１１ｂ及びワーキングエア流路１１ａには共に外気ＯＡが供給され、外気ＯＡは、前段の除湿ユニット３３で湿度が下げられている。これにより、図７で説明したように、プロダクトエアＰＡ及びワーキングエアＷＡの入力湿度が低いと、プロダクトエアＰＡの出口温度が下がるので、間接気化冷却ユニット４の前段に除湿ユニット３３を配置して、プロダクトエアＰＡ及びワーキングエアＷＡの入力湿度を下げることで、効率的にプロダクトエアＰＡの出口温度を下げて、給気温度を制御することができる。
【０２３３】
なお、間接気化エレメント１１のワーキングエア流路１１ａを通った外気ＯＡ及び除湿ユニット３３の再生流路３５ｂを通った還気ＲＡは高湿度のエアとなるので、排気吹出口８から排気ＥＡとして排出する。
【０２３４】
換気装置１Ｈでは、第７の実施の形態の換気装置１Ｇと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２３５】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０２３６】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２３７】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２３８】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２３９】
換気装置１Ｈは、除湿ユニット３３を備え、除湿ユニット３３で除湿された外気ＯＡを間接気化冷却ユニット４で利用することで、冷却能力が向上する。また、還気ＲＡを除湿ユニット３３で再生空気として利用することで、室内のエアを屋外に排気しながら、外気を冷却して取り入れることができ、換気装置１Ｈは換気を行いながら冷房を行う機能を有することになる。
【０２４０】
そして、還気ＲＡの流量と、給気ＳＡの流量を調整することで、所定時間で部屋の空気を入れ替えるような換気動作が可能である。このため、換気装置１Ｈでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２４１】
＜第７の実施の形態の換気装置１Ｊの構成＞
図１５は第７の実施の形態の換気装置１Ｊの一例を示す構成図である。第７の実施の形態の換気装置１Ｊは、給気ファン２と排気ファン３と間接気化冷却ユニット４に加え、熱交換ユニット３１と除湿ユニット３３を備える。なお、第７の実施の形態の換気装置１Ｊにおいて、第１の実施の形態の換気装置１Ａ等と同じ構成要素については、同じ番号を付して説明する。
【０２４２】
給気流路９Ｊは、外気吸込口５から給気ファン２、除湿ユニット３３の除湿流路３５ａ、熱交換エレメント３２の第１の流路３２ａ及び間接気化エレメント１１のプロダクトエア流路１１ｂを通り、給気吹出口６へ連通する。
【０２４３】
第２の排気流路１０Ｐは、還気吸込口７から間接気化エレメント１１のワーキングエア流路１１ａ及び排気ファン３を通り、排気吹出口８へ連通する。また、第１の排気流路１０Ｑは、還気吸込口７から熱交換エレメント３２の第２の流路３２ｂ、除湿ユニット３３の再生流路３５ｂ及び排気ファン３を通り、排気吹出口８へ連通する。
【０２４４】
給気流路９Ｊは、例えば除湿ユニット３３の上流側に給気流量調整ダンパ１４を備える。給気流量調整ダンパ１４の開度を調整することで、給気流路９Ｊを流れるエアの流量が調整される。これにより、間接気化エレメント１１のプロダクトエア流路１１ｂを流れるプロダクトエアＰＡの流量が調整される。
【０２４５】
第２の排気流路１０Ｐは、例えば間接気化冷却ユニット４の上流側に排気流量調整ダンパ１５を備える。排気流量調整ダンパ１５の開度を調整することで、第２の排気流路１０Ｐを流れるエアの流量が調整される。これにより、間接気化エレメント１１のワーキングエア流路１１ａを流れるワーキングエアＷＡの流量が調整される。
【０２４６】
また、給気流路９Ｊは、例えば除湿ユニット３３の上流側に空気清浄フィルタ１６を備える。空気清浄フィルタ１６を除湿ユニット３３の上流側に配置することで、除湿ロータ３６、熱交換エレメント３２及び間接気化エレメント１１への粉塵等の侵入を防ぐ。
【０２４７】
更に、給気流路９Ｊは、給気吹出口６に温度センサ１７を備えることで、給気温度が検出される。
【０２４８】
＜第７の実施の形態の換気装置１Ｊの動作＞
次に、図１５等を参照に第７の実施の形態の換気装置１Ｊの動作について説明する。換気装置１Ｊは、給気ファン２が駆動されると、給気流路９Ｊにおいて給気吹出口６へ向かうエアの流れが生成される。これにより、外気ＯＡが外気吸込口５から吸い込まれ、空気清浄フィルタ１６、除湿ユニット３３の除湿流路３５ａ、熱交換エレメント３２の第１の流路３２ａ及び間接気化エレメント１１のプロダクトエア流路１１ｂを通り、給気吹出口６から給気ＳＡとして室内に供給される。
【０２４９】
また、排気ファン３が駆動されると、第２の排気流路１０Ｐ及び第１の排気流路１０Ｑにおいて排気吹出口８へ向かうエアの流れが生成される。これにより、室内からの還気ＲＡが還気吸込口７から吸い込まれ、間接気化エレメント１１のワーキングエア流路１１ａを通り、排気吹出口８から排気ＥＡとして屋外に排出される。また、還気ＲＡの一部は、熱交換エレメント３２の第２の流路３２ｂ及び除湿ユニット３３の再生流路３５ｂを通り、排気吹出口８から排気ＥＡとして屋外に排出される。
【０２５０】
従って、換気装置１Ｊでは、外気ＯＡがプロダクトエアＰＡとなり、還気ＲＡがワーキングエアＷＡとなる。
【０２５１】
除湿ユニット３３では、除湿流路３５ａを通る外気ＯＡが除湿される。但し、除湿ロータ３６が再生流路３５ｂ側ではヒータ３７により加熱された再生空気で加熱されるため、除湿流路３５ａを通った外気ＯＡの温度は上昇する。
【０２５２】
熱交換エレメント３２では、第１の流路３２ａを通る外気ＯＡと、第２の流路３２ｂを通る還気ＲＡの間で熱交換が行われる。夏場に換気装置１Ｊを使用することで、室内の温度が下げられ、還気ＲＡの温度は外気ＯＡの温度よりも低い。
【０２５３】
よって、熱交換エレメント３２の第１の流路３２ａを通った外気ＯＡは温度が下がり、第２の流路３２ｂを通った還気ＲＡは温度が上がる。
【０２５４】
これにより、除湿ユニット３３の除湿流路３５ａを通ることで除湿され且つ加熱された外気ＯＡは、熱交換エレメント３２の第１の流路３２ａを通ることで、湿度は変化せず温度が下がる。
【０２５５】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２５６】
よって、間接気化エレメント１１のプロダクトエア流路１１ｂを通過した外気ＯＡを、給気吹出口６から給気ＳＡとして吹き出すことで、室内の温度を下げることができる。
【０２５７】
ここで、間接気化エレメント１１のプロダクトエア流路１１ｂを通る外気ＯＡは、前段の除湿ユニット３３で湿度が下げられている。更に、熱交換ユニット３１で温度が下げられている。これにより、図５及び図７で説明したように、プロダクトエアＰＡの入力湿度及び入力温度が低いと、プロダクトエアＰＡの出口温度が下がるので、間接気化冷却ユニット４の前段に除湿ユニット３３及び熱交換ユニット３１を配置して、プロダクトエアＰＡの入力湿度及び入力温度を下げることで、効率的にプロダクトエアＰＡの出口温度を下げて、給気温度を制御することができる。
【０２５８】
また、夏場に換気装置１Ｊを使用することで、室内の温度が下げられる。よって、還気ＲＡの温度も低い。図５で説明したように、ワーキングエアＷＡの入力温度が低いと、プロダクトエアＰＡの出口温度が下がるので、還気ＲＡをワーキングエアＷＡとして利用することで、効率的にプロダクトエアＰＡの出口温度を下げて、給気温度を制御することができる。
【０２５９】
なお、間接気化エレメント１１のワーキングエア流路１１ａを通った還気ＲＡ及び熱交換エレメント３２の第２の流路３２ｂと除湿ユニット３３の再生流路３５ｂを通った還気ＲＡは高湿度のエアとなるので、排気吹出口８から排気ＥＡとして排出する。
【０２６０】
換気装置１Ｊでは、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２６１】
これにより、除湿ユニット３３と熱交換ユニット３１を備えた換気装置１Ｊでも、給気流量調整ダンパ１４と排気流量調整ダンパ１５の何れかを作動させて、プロダクトエアＰＡの流量かワーキングエアＷＡの流量を調整することで、図３及び図４で説明したように、間接気化エレメント１１におけるプロダクトエアＰＡの出口温度が制御される。よって、給気吹出口６からの給気温度が制御される。
【０２６２】
例えば、ワーキングエアＷＡの流量を増加させると、間接気化エレメント１１におけるプロダクトエアＰＡの出口温度が低下することで、給気吹出口６からの給気温度を下げることができる。
【０２６３】
また、ワーキングエアＷＡの流量を減少させると、間接気化エレメント１１におけるプロダクトエアＰＡの出口温度が上昇することで、給気吹出口６からの給気温度を上げることができる。
【０２６４】
なお、プロダクトエアＰＡとワーキングエアＷＡの何れか一方の流量を調整することで、給気温度を制御できるので、給気流量調整ダンパ１４と排気流量調整ダンパ１５の何れか一方を備える構成でも良い。
【０２６５】
また、給気流量調整ダンパ１４と排気流量調整ダンパ１５の双方を作動させて、プロダクトエアＰＡの流量及びワーキングエアＷＡの流量を調整することで、間接気化エレメント１１におけるプロダクトエアＰＡの出口温度が制御され、給気吹出口６からの給気温度が制御される。
【０２６６】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２６７】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２６８】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２６９】
換気装置１Ｊは、除湿ユニット３３と熱交換ユニット３１を備え、除湿ユニット３３で除湿され、熱交換ユニット４で冷却された外気ＯＡと室内の冷却された還気ＲＡを間接気化冷却ユニット４で利用することで、冷却能力が向上する。また、還気ＲＡを利用することで、室内のエアを屋外に排気しながら、外気を冷却して取り入れることができ、換気装置１Ｊは換気を行いながら冷房を行う機能を有することになる。
【０２７０】
そして、還気ＲＡの流量と、給気ＳＡの流量を調整することで、所定時間で部屋の空気を入れ替えるような換気動作が可能である。このため、換気装置１Ｊでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２７１】
なお、間接気化冷却ユニット４より上流側で給気流路９Ｊから分岐し、間接気化冷却ユニット４をバイパスして給気吹出口６へ連通したバイパス流路と、バイパス流路を流れるエアの流量を調整する給気流量調整ダンパを備えて、間接気化冷却ユニット４をバイパスして給気吹出口６へ供給されるエアの流量を調整することでも、冷却温度の調整が可能となる。
【０２７２】
＜第８の実施の形態の換気装置１Ｋの構成＞
図１６は第８の実施の形態の換気装置１Ｋの一例を示す構成図である。第８の実施の形態の換気装置１Ｋは、除湿ユニット３３及び熱交換ユニット３１を備えた換気装置１Ｋにおいて、間接気化冷却ユニット４を構成する間接気化エレメント１１のワーキングエアＷＡに外気ＯＡを使用するものである。なお、第８の実施の形態の換気装置１Ｋにおいて、第７の実施の形態の換気装置１Ｊと同じ構成要素については、同じ番号を付して説明する。
【０２７３】
換気装置１Ｋは、外気吸込口５から給気ファン２、除湿ユニット３３の除湿流路３５ａ、熱交換エレメント３２の第１の流路３２ａ及び間接気化エレメント１１のプロダクトエア流路１１ｂを通り、給気吹出口６へ連通する給気流路９Ｋを備える。
【０２７４】
また、換気装置１Ｋは、熱交換ユニット３１より下流側で給気流路９Ｋと分岐し、間接気化エレメント１１のワーキングエア流路１１ａ及び排気ファン３を通り、排気吹出口８へ連通する第２の排気流路１０Ｒと、還気吸込口７から熱交換エレメント３２の第２の流路３２ｂ、除湿ユニット３３の再生流路３５ｂ及び排気ファン３を通り、排気吹出口８へ連通した第１の排気流路１０Ｓを備える。
【０２７５】
給気流路９Ｋは、例えば除湿ユニット３３の上流側に給気流量調整ダンパ１４を備える。また、第２の排気流路１０Ｒは、給気流路９Ｋとの分岐位置より下流側で、例えば間接気化冷却ユニット４の上流側に排気流量調整ダンパ１５を備える。
【０２７６】
給気流量調整ダンパ１４の開度を調整することで、給気流路９Ｋを流れるエアの流量が調整される。これにより、間接気化エレメント１１のプロダクトエア流路１１ｂを流れるプロダクトエアＰＡの流量が調整される。
【０２７７】
また、排気流量調整ダンパ１５の開度を調整することで、第２の排気流路１０Ｒを流れるエアの流量が調整される。これにより、間接気化エレメント１１のワーキングエア流路１１ａを流れるワーキングエアＷＡの流量が調整される。
【０２７８】
なお、給気流路９Ｋは、例えば除湿ユニット３３より上流側に空気清浄フィルタ１６を備える。更に、給気流路９Ｋは、給気吹出口６に温度センサ１７を備える。
【０２７９】
＜第８の実施の形態の換気装置１Ｋの動作＞
次に、図１６等を参照に第８の実施の形態の換気装置１Ｋの動作について説明する。換気装置１Ｋは、給気ファン２が駆動されると、給気流路９Ｋにおいて給気吹出口６へ向かうエアの流れが生成される。これにより、外気ＯＡが外気吸込口５から吸い込まれ、除湿ユニット３３の除湿流路３５ａ、熱交換エレメント３２の第１の流路３２ａ及び間接気化エレメント１１のプロダクトエア流路１１ｂを通り、給気吹出口６から給気ＳＡとして室内に供給される。
【０２８０】
また、排気ファン３が駆動されると、第２の排気流路１０Ｒ及び第１の排気流路１０Ｓにおいて排気吹出口８へ向かうエアの流れが生成される。これにより、第２の排気流路１０Ｒによって外気ＯＡの一部が間接気化エレメント１１のワーキングエア流路１１ａを通り、排気吹出口８から排気ＥＡとして屋外に排出される。また、第１の排気流路１０Ｓによって、室内からの還気ＲＡが還気吸込口７から吸い込まれ、熱交換エレメント３２の第２の流路３２ｂ及び除湿ユニット３３の再生流路３５ｂを通り、排気吹出口８から排気ＥＡとして屋外に排出される。
【０２８１】
従って、換気装置１Ｋでは、外気ＯＡがプロダクトエアＰＡ及びワーキングエアＷＡとなる。
【０２８２】
除湿ユニット３３では、除湿流路３５ａを通る外気ＯＡが除湿される。但し、除湿ロータ３６が再生流路３５ｂ側ではヒータ３７により加熱された再生空気で加熱されるため、除湿流路３５ａを通った外気ＯＡの温度は上昇する。
【０２８３】
熱交換エレメント３２では、第１の流路３２ａを通る外気ＯＡと、第２の流路３２ｂを通る還気ＲＡの間で熱交換が行われる。夏場に換気装置１Ｋを使用することで、室内の温度が下げられ、還気ＲＡの温度は外気ＯＡの温度よりも低い。
【０２８４】
よって、熱交換エレメント３２の第１の流路３２ａを通った外気ＯＡは温度が下がり、第２の流路３２ｂを通った還気ＲＡは温度が上がる。
【０２８５】
これにより、除湿ユニット３３の除湿流路３５ａを通ることで除湿され且つ加熱された外気ＯＡは、熱交換エレメント３２の第１の流路３２ａを通ることで、湿度は変化せず温度が下がる。
【０２８６】
上述したように、間接気化エレメント１１では、ワーキングエアＷＡが水の気化熱で冷却され、プロダクトエアＰＡはワーキングエアＷＡの冷熱を受けて冷却されるので、プロダクトエア流路１１ｂを通った外気ＯＡは、湿度（絶対湿度）は変化せずに温度は下がる。
【０２８７】
よって、間接気化エレメント１１のプロダクトエア流路１１ｂを通過した外気ＯＡを、給気吹出口６から給気ＳＡとして吹き出すことで、室内の温度を下げることができる。
【０２８８】
ここで、間接気化エレメント１１のプロダクトエア流路１１ｂ及びワーキングエア流路１１ａには共に外気ＯＡが供給され、外気ＯＡは、前段の除湿ユニット３３及び熱交換ユニット３１で湿度と温度が下げられている。これにより、図５及び図７で説明したように、プロダクトエアＰＡ及びワーキングエアＷＡの入力湿度及び入力温度が低いと、プロダクトエアＰＡの出口温度が下がるので、間接気化冷却ユニット４の前段に除湿ユニット３３及び熱交換ユニット３１を配置して、プロダクトエアＰＡ及びワーキングエアＷＡの入力湿度及び入力温度を下げることで、効率的にプロダクトエアＰＡの出口温度を下げて、給気温度を制御することができる。
【０２８９】
なお、間接気化エレメント１１のワーキングエア流路１１ａを通った外気ＯＡ及び熱交換エレメント３２の第２の流路３２ｂと除湿ユニット３３の再生流路３５ｂを通った還気ＲＡは高湿度のエアとなるので、排気吹出口８から排気ＥＡとして排出する。
【０２９０】
換気装置１Ｋでは、第１０の実施の形態の換気装置１Ｊと同様に、給気流量調整ダンパ１４の開度によって、間接気化エレメント１１のプロダクトエア流路１１ｂを通るプロダクトエアＰＡの流量が調整される。また、排気流量調整ダンパ１５の開度によって、間接気化エレメント１１のワーキングエア流路１１ａを通るワーキングエアＷＡの流量が調整される。
【０２９１】
これにより、給気流量調整ダンパ１４と排気流量調整ダンパ１５の何れか、あるいは双方を作動させて、プロダクトエアＰＡの流量かワーキングエアＷＡの流量あるいは双方の流量を調整することで、図３及び図４で説明したように、間接気化エレメント１１におけるプロダクトエアＰＡの出口温度が制御される。よって、給気吹出口６からの給気温度が制御される。
【０２９２】
更に、給気ファン２の回転数を変化させ風量を制御することでも、プロダクトエアＰＡの流量が調整可能で、同様に、排気ファン３の回転数を変化させ風量を制御することでも、ワーキングエアＷＡの流量が調整可能である。
【０２９３】
よって、給気ファン２と排気ファン３の何れか、あるいは給気ファン２と排気ファン３の双方の風量を制御することで、間接気化エレメント１１におけるプロダクトエアＰＡの出口温度が制御され、給気吹出口６からの給気温度が制御される。
【０２９４】
また、給気流量調整ダンパ１４と排気流量調整ダンパ１５の少なくとも一方の開度の制御と、給気ファン２と排気ファン３の少なくとも一方の風量の制御を組み合わせても、間接気化エレメント１１におけるプロダクトエアＰＡの出口温度が制御され、給気吹出口６からの給気温度が制御される。
【０２９５】
換気装置１Ｋは、除湿ユニット３３と熱交換ユニット３１を備え、除湿ユニット３３で除湿され、熱交換ユニット４で冷却された外気ＯＡを間接気化冷却ユニット４で利用することで、冷却能力が向上する。また、還気ＲＡを除湿ユニット３３と熱交換ユニット３１で利用することで、室内のエアを屋外に排気しながら、外気を冷却して取り入れることができ、換気装置１Ｋは換気を行いながら冷房を行う機能を有することになる。
【０２９６】
そして、還気ＲＡの流量と、給気ＳＡの流量を調整することで、所定時間で部屋の空気を入れ替えるような換気動作が可能である。このため、換気装置１Ｋでは、ワーキングエアＷＡの流量やプロダクトエアＰＡの流量で温度制御を行うため、所望の冷却温度が得られ、かつ、所定の換気量が確保できるように、換気動作と冷却動作を連動させる制御が行われる。
【０２９７】
＜各実施の形態の換気装置の変形例＞
上述した各実施の形態の換気装置１では、給気流量調整ダンパ１４及び排気流量調整ダンパ１５を間接気化冷却ユニット４の上流側に配置した例で説明したが、間接気化冷却ユニット４の下流側に配置しても良い。
【０２９８】
また、還気ＲＡの一部を給気側に利用するため、還気ＲＡを外気吸込口５あるいは間接気化冷却ユニット４の上流で給気流路９と連通させても良い。上述したように、還気ＲＡは夏場は空気調和され冷却されているので、還気ＲＡの一部を給気として利用することで、間接気化冷却ユニット４においてプロダクトエアＰＡ等の入力温度更には入力湿度が下がり、冷却能力が向上する。
【０２９９】
更に、空気清浄フィルタ１６の他に、空気清浄装置としてイオン発生器やオゾン発生器を備えても良い。例えば、イオン発生器は、正イオンと負イオンを発生し、略同数の正イオンと負イオンを供給すると共に、負イオンのみ又は負イオンを正イオンより多く供給する機能を備える。
【０３００】
このようなイオン発生器を給気吹出口６に備えると、略同数の正イオンと負イオンを含む給気ＳＡが居室等に供給され、カビ等の発生を防いで除菌することができる。なお、負イオンを供給すると、リラックス効果を得ることができる。
【０３０１】
また、イオン発生器を間接気化ユニット４の上流側等、給気流路９の上流側に配置することで、居室だけでなく、装置内の除菌を行うことができる。
【０３０２】
更に、間接気化冷却ユニット４と給気ファン２、排気ファン３、熱交換ユニット３１及び除湿ユニット３３はそれぞれが同一筐体内に無くても良く、また、ファンは他の機器のファンと兼用しても良い。
【０３０３】
＜熱交換ユニットを備えた換気装置の変形例＞
上述した第３，第４の実施の形態の換気装置と、第７，第８の実施の形態の換気装置では、熱交換ユニット３１として、顕熱（温度）交換を行う熱交換エレメント３２を備えた構成としたが、顕熱交換に加えて潜熱（湿度）交換を行ういわゆる全熱交換エレメントを備えた構成としても良い。
【０３０４】
外気ＯＡと還気ＲＡの間で全熱交換を行う場合、夏場は還気ＲＡの温度及び湿度が外気ＯＡの温度及び湿度よりも低いので、外気ＯＡは温度及び湿度が下がり、還気ＲＡは温度及び湿度が上がる。
【０３０５】
第３の実施の形態の換気装置１Ｄ及び第７の実施の形態の換気装置１Ｊ等のように、熱交換ユニット３１で冷却した外気ＯＡを間接気化エレメント１１のプロダクトエアＰＡとして利用する構成では、全熱交換エレメントを利用することで、プロダクトエアＰＡの入力温度及び入力湿度を下げることができ、効率的にプロダクトエアＰＡの出口温度を下げて、給気ＳＡの温度を制御することができ、冷却能力が向上する。
【０３０６】
また、第４の実施の形態の換気装置１Ｅ及び第８の実施の形態の換気装置１Ｋ等のように、熱交換ユニット３１で冷却した外気ＯＡを間接気化エレメント１１のプロダクトエアＰＡ及びワーキングエアＷＡとして利用する構成では、全熱交換エレメントを利用することで、プロダクトエアＰＡ及びワーキングエアＷＡの双方の入力温度及び入力湿度を下げることができ、より効率的にプロダクトエアＰＡの出口温度を下げて、給気ＳＡの温度を制御することができ、冷却能力が向上する。
【０３０７】
＜除湿ユニットを備えた換気装置の変形例＞
上述した第５〜第８の実施の形態で説明した除湿ユニット３３を備えた換気装置では、除湿ロータ３６の回転速度を制御することで、除湿ユニット３３を通ったエアの湿度を制御できる。
【０３０８】
図１７は除湿ロータ３６の回転速度とプロダクトエアＰＡの出口温度の関係を示すグラフである。図１７に示すように、除湿ロータ３６の回転速度が高くなると、除湿量が増加することが判る。これにより、除湿ロータ３６の回転速度を変化させることで、除湿ユニット３３から出力されるエアの湿度が制御される。
【０３０９】
図７で説明したように、熱交換エレメント１１において、プロダクトエアＰＡ及びワーキングエアＷＡの入力湿度が低下すると、プロダクトエアＰＡの出口温度が下がる。
【０３１０】
第５の実施の形態の換気装置１Ｇ及び第７の実施の形態の換気装置１Ｊ等のように、除湿ユニット３３で除湿した外気ＯＡを間接気化エレメント１１のプロダクトエアＰＡとして利用する構成では、除湿ロータ３６の回転速度を制御する速度制御手段を備えることで、プロダクトエアＰＡの入力湿度を制御できる。
【０３１１】
例えば、除湿ロータ３６の回転速度を高くすると、プロダクトエアＰＡの入力湿度が下がるので、図７で説明したように、プロダクトエアＰＡの出口温度を下げることができる。よって、給気ＳＡの温度を下げることができる。また、除湿ロータ３６の回転速度を低くすると、プロダクトエアＰＡの入力湿度が上がるので、プロダクトエアＰＡの出口温度を上げることができる。よって、給気ＳＡの温度を上げることができる。
【０３１２】
また、第６の実施の形態の換気装置１Ｈ及び第８の実施の形態の換気装置１Ｋ等のように、除湿ユニット３３で除湿した外気ＯＡを間接気化エレメント１１のプロダクトエアＰＡ及びワーキングエアＷＡとして利用する構成では、除湿ロータ３６の回転速度を制御することで、プロダクトエアＰＡ及びワーキングエアＷＡの入力湿度を制御できる。
【０３１３】
プロダクトエアＰＡ及びワーキングエアＷＡの双方の入力湿度を制御できることで、より効率的にプロダクトエアの出口温度を制御できる。
【０３１４】
また、還気流量や給気流量を変化させずに温度制御を行って、所定時間で部屋の空気を入れ替えるための換気量を確保することができる。
【０３１５】
なお、除湿ロータ３６の回転制御による給気温度の制御と、ダンパ等による流量制御による給気温度の制御を組み合わせても良い。
【０３１６】
また、除湿ロータ３６の再生用のヒータ３７の温度調整によって除湿ロータ３６の除湿量を制御する除湿制御手段を備えて、間接気化冷却ユニット４へ供給されるエアの湿度を制御するようにしても良い。
【０３１７】
＜換気装置の設置例＞
図１８は本実施の形態の建物の一例を示す構成図で、換気装置１の設置例を示す。図１等で説明した換気装置１は、建物１０１の天井裏等に設置される。建物１０１は複数の居室１０２とトイレ１０３、洗面所１０４ａ、浴室１０４ｂ等を備え、換気装置１の図１等に示す給気吹出口６は、各居室１０２の天井等に設置した給気口１０５にダクト１０６を介して接続される。
【０３１８】
なお、図１等では、給気吹出口６を１個備えた構成であるが、複数の居室１０２に給気ＳＡを供給するためには、ダクト１０６の途中に分岐チャンバー１０６ａを設置し、１本のダクト１０６を複数本のダクト１０６に分岐できるようにすれば良い。
【０３１９】
また、換気装置１に複数の給気吹出口６を備えても良いし、複数の給気吹出口６を備えた換気装置１と分岐チャンバー１０６ａを組み合わせても良い。
【０３２０】
換気装置１の図１等に示す還気吸込口８は、例えばトイレ１０３の天井等に設置した吸込口１０７にダクト１０７ａ等を介して接続される。居室１０５内に給気した空気は、ドアのアンダーカット部、ガラリ部等を通して吸込口１０７に集められ、還気吸込口８から吸い込んだ還気ＲＡは、図１等で説明したようにワーキングエアＷＡ等として利用して排気するので、居室には戻らない。これにより、臭気を排気できる。吸込口１０７は、図１のような換気装置１の本体下面に設けた還気吸込口７でも良く、更に、還気吸込口７を複数設けても良い、また、給気口１０５を設けた居室１０２内にそれぞれ吸込口１０７を設けても良い。
【０３２１】
換気装置１の図１等に示す外気吸込口５は、ベランダ１０８等の壁面に備えた吸込口１０９にダクト１０９ａを介して接続される。また、排気吹出口８は、ベランダ１０８等の壁面に備えた排気口１１０にダクト１１０ａを介して接続される。これにより、換気装置１は外気ＯＡを屋外から取り込むと共に、トイレ１０３等からの還気ＲＡを屋外へ排気ＥＡとして排気できる。
【０３２２】
換気装置１は、図１等に示すように、間接気化冷却ユニット４に給排水装置１２とドレンパン１３を備える。間接気化冷却ユニット４では、上述したように、水の気化熱でワーキングエアＷＡを冷却するため、給排水装置１２により水が供給され、消費されない水はドレンパン１３に貯水される。そして、ドレンパン１３と、ベランダ１０８等に設置したドレン排水口１１１がホース１１１ａで接続され、ドレンパン１３の水を給排水装置１２等で装置外へ排水できるようになっている。
【０３２３】
図１９は換気装置の他の設置例を示す建物の構成図である。図１等で説明した換気装置１は、図１９（ａ）に示すように、天井裏に設置する形態の他、図１９（ｂ）に示すように、建物１０１の外に設置する形態も可能である。
【０３２４】
＜換気システムの構成例＞
図２０は第１の実施の形態の換気システムの一例を示す概略構成図である。換気システム９１Ａは、換気装置１Ｍと給気ファン２Ａと排気ファン３Ａを備える。換気装置１Ｍは、図１等に示す間接気化冷却ユニット４と、外気吸込口５から間接気化冷却ユニット４のプロダクトエア流路１１ｂを通り、給気吹出口６へ連通した給気流路９Ｍと、給気流路９Ｍから分岐し、間接気化冷却ユニット４のワーキングエア流路１１ａを通り、排気吹出口８へ連通した給気流路１０Ｕを備える。
【０３２５】
給気ファン２Ａ及び排気ファン３Ａは、中間ダクトファン等と称される換気装置である。給気ファン２Ａは、建物１０１の吸込口１０９から給気口１０５へ連通した給気流路９２に配置される。なお、給気口１０５を複数の居室１０２に配置する場合は、給気流路９２を構成するダクトを分岐する等により、各給気口１０５と連通させる。
【０３２６】
排気ファン３Ａは、建物１０１の吸込口１０７から排気口１１０へ連通した排気流路９３に配置される。なお、吸込口１０７を複数の居室１０２に配置する場合は、排気流路９３を構成するダクトを分岐する等により、各吸込口１０７と連通させる。
【０３２７】
換気装置１Ｍは、外気吸込口５及び給気吹出口６が建物１０１の給気流路９２と連通する。また、排気吹出口８が排気流路９３と連通する。
【０３２８】
これにより、給気ファン２Ａが駆動されると、吸込口１０９から吸気され、給気流路９２を流れる外気ＯＡが、間接気化冷却ユニット４のプロダクトエア流路１１ｂを通り、給気ＳＡとして各給気口１０５から居室１０２へ給気される。
【０３２９】
また、外気ＯＡの一部が、間接気化冷却ユニット４のワーキングエア流路１１ａを通り、排気ＥＡとして排気流路９３に流れる。
【０３３０】
そして、排気ファン３Ａが駆動されると、各吸込口１０７から吸気された還気ＲＡが、排気流路９３を通り、排気口１１０から排気ＥＡとして排気されると共に、間接気化冷却ユニット４のワーキングエア流路１１ａを通った外気ＯＡが排気ＥＡとして排気される。
【０３３１】
間接気化冷却ユニット４では、上述したように、ワーキングエアＷＡが水の気化熱で冷却され、ワーキングエアＷＡの冷熱を受けてプロダクトエアＰＡが冷却されるので、各居室１０２に冷却された給気ＳＡが給気される。
【０３３２】
そして、各居室１０２からの還気ＲＡの流量と、各居室１０２への給気ＳＡの流量を調整することで、所定時間で全部屋の空気を入れ替えるような換気動作が可能である。
【０３３３】
図２１は第２の実施の形態の換気システムの一例を示す概略構成図である。換気システム９１Ｂは、換気装置１Ｎと給気ファン２Ａと排気ファン３Ａを備える。換気装置１Ｎは、図１等に示す間接気化冷却ユニット４と、外気吸込口５から間接気化冷却ユニット４のプロダクトエア流路１１ｂを通り、給気吹出口６へ連通した給気流路９Ｎと、還気吸込口７から間接気化冷却ユニット４のワーキングエア流路１１ａを通り、排気吹出口８へ連通した給気流路１０Ｖを備える。
【０３３４】
給気ファン２Ａは、建物１０１の吸込口１０９から各給気口１０５へ連通した給気流路９２に配置される。排気ファン３Ａは、建物１０１の各吸込口１０７から排気口１１０へ連通した排気流路９３に配置される。
【０３３５】
換気装置１Ｎは、外気吸込口５及び給気吹出口６が建物１０１の給気流路９２と連通する。また、還気吸込口７排気吹出口８が排気流路９３と連通する。
【０３３６】
これにより、給気ファン２Ａが駆動されると、吸込口１０９から吸気され、給気流路９２を流れる外気ＯＡが、間接気化冷却ユニット４のプロダクトエア流路１１ｂを通り、給気ＳＡとして各給気口１０５から居室１０２へ給気される。
【０３３７】
また、外気ＯＡの一部が、間接気化冷却ユニット４のワーキングエア流路１１ａを通り、排気ＥＡとして排気流路９３に流れる。
【０３３８】
また、排気ファン３Ａが駆動されると、各吸込口１０７から吸気された還気ＲＡが、排気流路９３を通り、排気口１１０から排気ＥＡとして排気されると共に、還気ＲＡの一部が、間接気化冷却ユニット４のワーキングエア流路１１ａを通り、排気ＥＡとして排気される。
【０３３９】
間接気化冷却ユニット４では、上述したように、ワーキングエアＷＡが水の気化熱で冷却され、ワーキングエアＷＡの冷熱を受けてプロダクトエアＰＡが冷却されるので、各居室１０２に冷却された給気ＳＡが給気される。
【０３４０】
そして、各居室１０２からの還気ＲＡの流量と、各居室１０２への給気ＳＡの流量を調整することで、所定時間で全部屋の空気を入れ替えるような換気動作が可能である。
【０３４１】
図２２は第３の実施の形態の換気システムの一例を示す概略構成図である。換気システム９１Ｃは、換気装置１Ｐと２４時間換気装置９４を備える。換気装置１Ｐは、図１等に示す間接気化冷却ユニット４と、排気ファン３Ｂと、外気吸込口５から間接気化冷却ユニット４のプロダクトエア流路１１ｂを通り、給気吹出口６へ連通した給気流路９Ｐと、還気吸込口７から排気ファン３Ｂ及び間接気化冷却ユニット４のワーキングエア流路１１ａを通り、排気吹出口８へ連通した給気流路１０Ｗを備える。
【０３４２】
２４時間換気装置９４は、図１０等に示す熱交換ユニット３１と、給気ファン２Ｃと、排気ファン３Ｃと、外気吸込口９５から熱交換ユニット３１の第１の流路３２ａを通り給気吹出口９６と連通した給気流路９５ａと、還気吸込口９７から熱交換ユニット３１の第２の流路３２ｂを通り排気吹出口９８と連通した排気流路９７ａを備える。
【０３４３】
そして、２４時間換気装置９４の給気吹出口９６と、換気装置１Ｐの外気吸込口５が接続される。
【０３４４】
２４時間換気装置９４が駆動されると、給気ファン２Ｃ及び排気ファン３Ｃが回転駆動されることで、外気吸込口９５から吸気された外気ＯＡが、熱交換ユニット３１の第１の流路３２ａを通り、給気吹出口９６から給気される。また、還気吸込口９７から吸気された還気ＲＡが、熱交換ユニット３１の第２の流路３２ｂを通り、排気吹出口９８から排気ＥＡとして排気される。
【０３４５】
熱交換ユニット３１では、外気ＳＡと還気ＲＡの間で熱交換が行われるが、夏場は、空気調和された居室からの還気ＲＡは温度が低いので、熱交換ユニット３１を通過した外気ＯＡは温度が下がる。
【０３４６】
２４時間換気装置９４の給気吹出口９６は換気装置１Ｐの外気吸込口６と連通しているので、熱交換ユニット３１で冷却された外気ＯＡが、換気装置１Ｐの間接気化冷却ユニット４のプロダクトエア流路１１ｂに供給される。
【０３４７】
換気装置１Ｐは、排気ファン３Ｂが駆動されることで、還気吸込口７から吸気された還気ＲＡが、間接気化冷却ユニット４のワーキングエア流路１１ａを通り、排気吹出口８から排気ＥＡとして排気される。
【０３４８】
間接気化冷却ユニット４では、上述したように、ワーキングエアＷＡが水の気化熱で冷却され、ワーキングエアＷＡの冷熱を受けてプロダクトエアＰＡが冷却されるので、換気装置１Ｐの給気吹出口６から、冷却された給気ＳＡが給気される。
【０３４９】
そして、換気装置１Ｐでは、間接気化冷却ユニット４のプロダクトエアＰＡとして、２４時間換気装置９４で冷却された外気ＯＡを利用し、ワーキングエアＲＡとして居室からの冷却された還気ＲＡを利用することで、プロダクトエアＰＡとワーキングエアＷＡの入力温度が下げられ、冷却能力が向上する。
【０３５０】
上述したように、間接気化冷却ユニット４のプロダクトエアＰＡの出口温度は、ワーキングエアＷＡの流量を調整することで制御される。換気装置１Ｐでは、例えば排気ファン３Ｂによる還気ＲＡの吸気量を調整することで、ワーキングエアＷＡの流量が調整される。
【０３５１】
これにより、換気装置１Ｐでは、冷却温度の制御により還気流量が変動する。このため、所定時間で建物内の空気の入れ替えができるように、２４時間換気装置９４の還気流量と換気装置１Ｐの還気流量が調整される  
なお、図２２（ａ）では、２４時間換気装置９４に１台の換気装置１Ｐを接続しているが、図２２（ｂ）に示すように、２４時間換気装置９４の給気吹出口９６からの給気流路を構成するダクトを分岐して、複数台の換気装置１Ｐを接続しても良い。
【産業上の利用可能性】
【０３５２】
本発明は、一般住宅に設置され、複数の部屋の換気及び空調を行う換気装置に適用される。
【図面の簡単な説明】
【０３５３】
【図１】第１の実施の形態の換気装置１Ａの一例を示す構成図である。
【図２】間接気化エレメント１１の概要を示す説明図である。
【図３】ワーキングエアＷＡの流量とプロダクトエアＰＡの出口温度の関係を示すグラフである。
【図４】プロダクトエアＰＡの流量とプロダクトエアＰＡの出口温度の関係を示すグラフである。
【図５】ワーキングエアＷＡ及びプロダクトエアＰＡの入口温度とプロダクトエアＰＡの出口温度の関係を示すグラフである。
【図６】ワーキングエアＷＡ及びプロダクトエアＰＡの入口温度と水の消費量の関係を示すグラフである。
【図７】ワーキングエアＷＡ及びプロダクトエアＰＡの入口湿度とプロダクトエアＰＡの出口温度の関係を示すグラフである。
【図８】第１の実施の形態の換気装置１Ａの変形例を示す概略構成図である。
【図９】第２の実施の形態の換気装置１Ｂの一例を示す構成図である。
【図１０】第３の実施の形態の換気装置１Ｄの一例を示す構成図である。
【図１１】第４の実施の形態の換気装置１Ｅの一例を示す構成図である。
【図１２】第５の実施の形態の換気装置１Ｇの一例を示す構成図である。
【図１３】第５の実施の形態の換気装置１Ｇの変形例を示す概略構成図である。
【図１４】第６の実施の形態の換気装置１Ｈの一例を示す構成図である。
【図１５】第７の実施の形態の換気装置１Ｊの一例を示す構成図である。
【図１６】第８の実施の形態の換気装置１Ｋの一例を示す構成図である。
【図１７】除湿ロータ３６の回転速度とプロダクトエアＰＡの出口温度の関係を示すグラフである。
【図１８】本実施の形態の建物の一例を示す構成図である。
【図１９】換気装置の他の設置例を示す建物の構成図である。
【図２０】第１の実施の形態の換気システムの一例を示す構成図である。
【図２１】第２の実施の形態の換気システムの一例を示す構成図である。
【図２２】第３の実施の形態の換気システムの一例を示す構成図である。
【符号の説明】
【０３５４】
１・・・換気装置、２・・・給気ファン、３・・・排気ファン、４・・・間接気化冷却ユニット、５・・・外気吸込口、６・・・給気吹出口、７・・・還気吸込口、８・・・・排気吹出口、９・・・給気流路、１０・・・排気流路、１１・・・間接気化エレメント、１１ａ・・・ワーキングエア流路、１１ｂ・・・プロダクトエア流路、１２・・・給排水装置、１２ａ・・・給水バルブ、１２ｂ・・・排水バルブ、１３・・・ドレンパン、１４・・・給気流量調整ダンパ、１５・・・排気流量調整ダンパ、１６・・・空気清浄フィルタ、１７・・・温度センサ、１８・・・給気流量調整ダンパ、１９・・・給気流量調整ダンパ、２１・・・ドライセル、２１ａ・・・仕切り、２１ｂ・・・第１の流路、２２・・・ウェットセル、２２ａ・・・仕切り、２２ｂ・・・第２の流路、２３・・・隔壁、２３ａ・・・防湿フィルム、２３ｂ・・・湿潤層、２３ｃ・・・通気口、２４・・・閉塞部、３１・・・熱交換ユニット、３２・・・熱交換エレメント、３２ａ・・・第１の流路、３２ｂ・・・第２の流路、３３・・・除湿ユニット、３４・・・隔壁、３５ａ・・・除湿流路、３５ｂ・・・再生流路、３６・・・除湿ロータ、３７・・・ヒータ
【図１】
2006105425.tif 000005
【図２】
2006105425.tif 000006
【図３】
2006105425.tif 000007
【図４】
2006105425.tif 000008
【図５】
2006105425.tif 000009
【図６】
2006105425.tif 000010
【図７】
2006105425.tif 000011
【図８】
2006105425.tif 000012
【図９】
2006105425.tif 000013
【図１０】
2006105425.tif 000014
【図１１】
2006105425.tif 000015
【図１２】
2006105425.tif 000016
【図１３】
2006105425.tif 000017
【図１４】
2006105425.tif 000018
【図１５】
2006105425.tif 000019
【図１６】
2006105425.tif 000020
【図１７】
2006105425.tif 000021
【図１８】
2006105425.tif 000022
【図１９】
2006105425.tif 000023
【図２０】
2006105425.tif 000024
【図２１】
2006105425.tif 000025
【図２２】
2006105425.tif 000026